(57)【特許請求の範囲】
【請求項１】
貨幣の処理を行う貨幣処理装置であって、
筐体と、
前記筐体の外部から内部に貨幣を投入するための投入口と、
前記筐体の内部に設けられ、前記投入口により前記筐体の内部に投入された貨幣を搬送する搬送部と、
前記搬送部に設けられ、前記投入口により前記筐体の内部に投入された貨幣の識別を行う識別部と、
前記筐体の内部に設けられ、貨幣の収納を行う収納庫と、
前記筐体内に設けられ、前記搬送部に接続され、前記投入口により前記筐体の内部に投入され前記識別部により識別された貨幣を一時的に保留する一時保留部と、
前記搬送部に接続され、前記筐体の内部から外部に貨幣を投出するための投出口と、
前記搬送部および前記一時保留部の制御を行う制御部であって、前記投入口により前記筐体の内部に投入され前記識別部により識別された貨幣を前記一時保留部に一時的に保留させ、その後、前記一時保留部に一時的に保留された貨幣について、前記識別部による識別結果に基づいて予め設定された複数の処理方法の中から一の処理方法を選択し、この処理方法で前記一時保留部に一時的に保留された貨幣の処理を行う制御部と、
を備え、
前記貨幣処理装置は、貨幣として紙幣の処理を行うようになっており、前記識別部は、少なくとも紙幣の表裏の識別を行うようになっており、
前記貨幣処理装置は、前記搬送部に接続された帯封部であって、当該帯封部に送られた複数の紙幣の帯封を行う帯封部を更に備え、
前記制御部は、前記一時保留部に一時的に保留された紙幣について、表裏のいずれか一方の紙幣を前記帯封部に搬送して当該帯封部に所定の枚数の紙幣が送られたときにこの帯封部で紙幣の帯封を行わせ、表裏に関して他方の紙幣を前記収納庫に搬送して当該収納庫に収納させるよう制御を行うことを特徴とする貨幣処理装置。
【請求項２】
貨幣の処理を行う貨幣処理装置であって、
筐体と、
前記筐体の外部から内部に貨幣を投入するための投入口と、
前記筐体の内部に設けられ、前記投入口により前記筐体の内部に投入された貨幣を搬送する搬送部と、
前記搬送部に設けられ、前記投入口により前記筐体の内部に投入された貨幣の識別を行う識別部と、
前記筐体の内部に設けられ、貨幣の収納を行う収納庫と、
前記筐体内に設けられ、前記搬送部に接続され、前記投入口により前記筐体の内部に投入され前記識別部により識別された貨幣を一時的に保留する一時保留部と、
前記搬送部に接続され、前記筐体の内部から外部に貨幣を投出するための投出口と、
前記搬送部および前記一時保留部の制御を行う制御部であって、前記投入口により前記筐体の内部に投入され前記識別部により識別された貨幣を前記一時保留部に一時的に保留させ、その後、前記一時保留部に一時的に保留された貨幣について、前記識別部による識別結果に基づいて予め設定された複数の処理方法の中から一の処理方法を選択し、この処理方法で前記一時保留部に一時的に保留された貨幣の処理を行う制御部と、
を備え、
前記貨幣処理装置は、貨幣として紙幣の処理を行うようになっており、前記識別部は、少なくとも紙幣の金種および表裏の識別を行うようになっており、
前記収納庫は、複数の金種の紙幣を金種混合状態で収納する金種混合収納庫、および紙幣を金種別に収納する複数の金種別収納庫を有し、
前記制御部は、前記一時保留部に一時的に保留された紙幣について、表裏のいずれか一方の紙幣を前記金種混合収納庫に搬送して当該金種混合収納庫に収納させ、表裏に関して他方の紙幣を前記金種別収納庫に搬送して当該金種別収納庫に金種別に収納させるよう制御を行うことを特徴とする貨幣処理装置。
【請求項３】
貨幣の処理を行う貨幣処理装置であって、
筐体と、
前記筐体の外部から内部に貨幣を投入するための投入口と、
前記筐体の内部に設けられ、前記投入口により前記筐体の内部に投入された貨幣を搬送する搬送部と、
前記搬送部に設けられ、前記投入口により前記筐体の内部に投入された貨幣の識別を行う識別部と、
前記筐体の内部に設けられ、貨幣の収納を行う収納庫と、
前記筐体内に設けられ、前記搬送部に接続され、前記投入口により前記筐体の内部に投入され前記識別部により識別された貨幣を一時的に保留する一時保留部と、
前記搬送部に接続され、前記筐体の内部から外部に貨幣を投出するための投出口と、
前記搬送部および前記一時保留部の制御を行う制御部であって、前記投入口により前記筐体の内部に投入され前記識別部により識別された貨幣を前記一時保留部に一時的に保留させ、その後、前記一時保留部に一時的に保留された貨幣について、前記識別部による識別結果に基づいて予め設定された複数の処理方法の中から一の処理方法を選択し、この処理方法で前記一時保留部に一時的に保留された貨幣の処理を行う制御部と、
を備え、
前記貨幣処理装置は、貨幣として紙幣の処理を行うようになっており、前記識別部は、少なくとも紙幣の表裏の識別を行うようになっており、
前記制御部は、前記一時保留部に一時的に保留された紙幣について、表裏のいずれか一方の紙幣を前記投出口に搬送して前記筐体の外部に投出し、表裏に関して他方の紙幣を前記収納庫に搬送して当該収納庫に収納させるよう制御を行うことを特徴とする貨幣処理装置。
【請求項４】
貨幣の処理を行う貨幣処理装置であって、
筐体と、
前記筐体の外部から内部に貨幣を投入するための投入口と、
前記筐体の内部に設けられ、前記投入口により前記筐体の内部に投入された貨幣を搬送する搬送部と、
前記搬送部に設けられ、前記投入口により前記筐体の内部に投入された貨幣の識別を行う識別部と、
前記筐体の内部に設けられ、貨幣の収納を行う収納庫と、
前記筐体内に設けられ、前記搬送部に接続され、前記投入口により前記筐体の内部に投入され前記識別部により識別された貨幣を一時的に保留する一時保留部と、
前記搬送部に接続され、前記筐体の内部から外部に貨幣を投出するための投出口と、
前記搬送部および前記一時保留部の制御を行う制御部であって、前記投入口により前記筐体の内部に投入され前記識別部により識別された貨幣を前記一時保留部に一時的に保留させ、その後、前記一時保留部に一時的に保留された貨幣について、前記識別部による識別結果に基づいて予め設定された複数の処理方法の中から一の処理方法を選択し、この処理方法で前記一時保留部に一時的に保留された貨幣の処理を行う制御部と、
を備え、
前記貨幣処理装置は、貨幣として紙幣の処理を行うようになっており、前記識別部は、少なくとも紙幣の金種の識別を行うようになっており、
前記貨幣処理装置は、前記搬送部に接続された帯封部であって、当該帯封部に送られた複数の紙幣の帯封を行う帯封部を更に備え、
前記制御部は、前記識別部による識別結果に基づいて、前記一時保留部に一時的に保留された紙幣について、予め設定された設定枚数以上の枚数である紙幣の金種を検出し、当該制御部は、前記一時保留部に一時的に保留された紙幣のうち、前記検出された金種の紙幣を前記設定枚数分だけ前記帯封部に搬送して当該帯封部に前記設定枚数分の紙幣が送られたときにこの帯封部で紙幣の帯封を行わせるよう制御を行うことを特徴とする貨幣処理装置。
【請求項５】
前記収納庫は、紙幣を金種別に収納する複数の金種別収納庫を有し、
前記制御部は、前記一時保留部に一時的に保留された紙幣のうち、前記検出された金種の紙幣について、前記設定枚数に満たないような端数の紙幣を前記金種別収納庫に搬送して当該金種別収納庫に金種別に収納させ、次の紙幣の入金処理を行う際に前記一時保留部に一時的に保留される紙幣のうち前記金種の紙幣の枚数が前記設定枚数に満たない場合には前記金種別収納庫に既に収納されている紙幣を帯封のために補填するよう制御を行うことを特徴とする請求項４記載の貨幣処理装置。
【請求項６】
貨幣の処理を行う貨幣処理装置であって、
筐体と、
前記筐体の外部から内部に貨幣を投入するための投入口と、
前記筐体の内部に設けられ、前記投入口により前記筐体の内部に投入された貨幣を搬送する搬送部と、
前記搬送部に設けられ、前記投入口により前記筐体の内部に投入された貨幣の識別を行う識別部と、
前記筐体の内部に設けられ、貨幣の収納を行う収納庫と、
前記筐体内に設けられ、前記搬送部に接続され、前記投入口により前記筐体の内部に投入され前記識別部により識別された貨幣を一時的に保留する一時保留部と、
前記搬送部に接続され、前記筐体の内部から外部に貨幣を投出するための投出口と、
前記搬送部および前記一時保留部の制御を行う制御部であって、前記投入口により前記筐体の内部に投入され前記識別部により識別された貨幣を前記一時保留部に一時的に保留させ、その後、前記一時保留部に一時的に保留された貨幣について、前記識別部による識別結果に基づいて予め設定された複数の処理方法の中から一の処理方法を選択し、この処理方法で前記一時保留部に一時的に保留された貨幣の処理を行う制御部と、
を備え、
前記貨幣処理装置は、貨幣として硬貨の処理を行うようになっており、前記識別部は、少なくとも硬貨の金種の識別を行うようになっており、
前記貨幣処理装置は、前記搬送部に接続された包装部であって、当該包装部に送られた複数の硬貨の包装を行う包装部を更に備え、
前記制御部は、前記識別部による識別結果に基づいて、前記一時保留部に一時的に保留された硬貨について、予め設定された設定枚数以上の枚数である硬貨の金種を検出し、当該制御部は、前記一時保留部に一時的に保留された硬貨のうち、前記検出された金種の硬貨を前記設定枚数分だけ前記包装部に搬送して当該包装部に前記設定枚数分の硬貨が送られたときにこの包装部で硬貨の包装を行わせるよう制御を行うことを特徴とする貨幣処理装置。
【請求項７】
前記収納庫は、硬貨を金種別に収納する複数の金種別収納庫を有し、
前記制御部は、前記一時保留部に一時的に保留された硬貨のうち、前記検出された金種の硬貨について、前記設定枚数に満たないような端数の硬貨を前記金種別収納庫に搬送して当該金種別収納庫に金種別に収納させ、次の硬貨の入金処理を行う際に前記一時保留部に一時的に保留される硬貨のうち前記金種の硬貨の枚数が前記設定枚数に満たない場合には前記金種別収納庫に既に収納されている硬貨を包装のために補填するよう制御を行うことを特徴とする請求項６記載の貨幣処理装置。
【請求項８】
貨幣の処理を行う貨幣処理装置であって、
筐体と、
前記筐体の外部から内部に貨幣を投入するための投入口と、
前記筐体の内部に設けられ、前記投入口により前記筐体の内部に投入された貨幣を搬送する搬送部と、
前記搬送部に設けられ、前記投入口により前記筐体の内部に投入された貨幣の識別を行う識別部と、
前記筐体の内部に設けられ、貨幣の収納を行う収納庫と、
前記筐体内に設けられ、前記搬送部に接続され、前記投入口により前記筐体の内部に投入され前記識別部により識別された貨幣を一時的に保留する一時保留部と、
前記搬送部に接続され、前記筐体の内部から外部に貨幣を投出するための投出口と、
前記搬送部および前記一時保留部の制御を行う制御部であって、前記投入口により前記筐体の内部に投入され前記識別部により識別された貨幣を前記一時保留部に一時的に保留させ、その後、前記一時保留部に一時的に保留された貨幣について、前記識別部による識別結果に基づいて予め設定された複数の処理方法の中から一の処理方法を選択し、この処理方法で前記一時保留部に一時的に保留された貨幣の処理を行う制御部と、
を備え、
前記識別部は、少なくとも貨幣の金種の識別を行うようになっており、
前記収納庫は、複数の金種の貨幣を金種混合状態で収納する金種混合収納庫、および貨幣を金種別に収納する複数の金種別収納庫を有し、
前記制御部は、前記識別部による識別結果に基づいて、前記一時保留部に一時的に保留された貨幣について、予め設定された設定枚数以上の枚数である貨幣の金種を検出し、当該制御部は、前記一時保留部に一時的に保留された貨幣のうち、前記検出された金種の貨幣を前記金種混合収納庫に搬送して当該金種混合収納庫に収納させ、それ以外の金種の貨幣を前記金種別収納庫に搬送して当該金種別収納庫に金種別に収納させるよう制御を行うことを特徴とする貨幣処理装置。
【請求項９】
貨幣の処理を行う貨幣処理装置であって、
筐体と、
前記筐体の外部から内部に貨幣を投入するための投入口と、
前記筐体の内部に設けられ、前記投入口により前記筐体の内部に投入された貨幣を搬送する搬送部と、
前記搬送部に設けられ、前記投入口により前記筐体の内部に投入された貨幣の識別を行う識別部と、
前記筐体の内部に設けられ、貨幣の収納を行う収納庫と、
前記筐体内に設けられ、前記搬送部に接続され、前記投入口により前記筐体の内部に投入され前記識別部により識別された貨幣を一時的に保留する一時保留部と、
前記搬送部に接続され、前記筐体の内部から外部に貨幣を投出するための投出口と、
前記搬送部および前記一時保留部の制御を行う制御部であって、前記投入口により前記筐体の内部に投入され前記識別部により識別された貨幣を前記一時保留部に一時的に保留させ、その後、前記一時保留部に一時的に保留された貨幣について、前記識別部による識別結果に基づいて予め設定された複数の処理方法の中から一の処理方法を選択し、この処理方法で前記一時保留部に一時的に保留された貨幣の処理を行う制御部と、
を備え、
前記識別部は、少なくとも貨幣の金種の識別を行うようになっており、
前記収納庫は、貨幣を金種別に収納する複数の金種別収納庫を有し、
前記制御部は、前記識別部による識別結果に基づいて、前記一時保留部に一時的に保留された貨幣について、予め設定された設定枚数以上の枚数である貨幣の金種を検出し、当該制御部は、前記一時保留部に一時的に保留された貨幣のうち、前記検出された金種の貨幣を前記投出口に搬送して前記筐体の外部に投出し、それ以外の金種の貨幣を前記金種別収納庫に搬送して当該金種別収納庫に金種別に収納させるよう制御を行うことを特徴とする貨幣処理装置。
【請求項１０】
貨幣の処理を行う貨幣処理装置であって、
筐体と、
前記筐体の外部から内部に貨幣を投入するための投入口と、
前記筐体の内部に設けられ、前記投入口により前記筐体の内部に投入された貨幣を搬送する搬送部と、
前記搬送部に設けられ、前記投入口により前記筐体の内部に投入された貨幣の識別を行う識別部と、
前記筐体の内部に設けられ、貨幣の収納を行う収納庫と、
前記筐体内に設けられ、前記搬送部に接続され、前記投入口により前記筐体の内部に投入され前記識別部により識別された貨幣を一時的に保留する一時保留部と、
前記搬送部に接続され、前記筐体の内部から外部に貨幣を投出するための投出口と、
前記搬送部および前記一時保留部の制御を行う制御部であって、前記投入口により前記筐体の内部に投入され前記識別部により識別された貨幣を前記一時保留部に一時的に保留させ、その後、前記一時保留部に一時的に保留された貨幣について、前記識別部による識別結果に基づいて予め設定された複数の処理方法の中から一の処理方法を選択し、この処理方法で前記一時保留部に一時的に保留された貨幣の処理を行う制御部と、
を備え、
前記識別部は、少なくとも貨幣の金種の識別を行うようになっており、
前記収納庫は、貨幣を金種別に収納する複数の金種別収納庫を有し、
前記制御部は、前記一時保留部から繰り出された貨幣を前記金種別収納庫に搬送して当該金種別収納庫に金種別に収納させるよう制御を行い、
前記制御部は、前記一時保留部から繰り出された貨幣がもし前記金種別収納庫に収納されると当該金種別収納庫がフル状態になることが検出された場合には、この金種別収納庫から所定量の貨幣が取り出されて貨幣を収納可能な状態になったことが検出された後に、前記貨幣を前記一時保留部から前記金種別収納庫に搬送するよう制御を行うことを特徴とする貨幣処理装置。
【請求項１１】
貨幣の処理を行う貨幣処理装置であって、
筐体と、
前記筐体の外部から内部に貨幣を投入するための投入口と、
前記筐体の内部に設けられ、前記投入口により前記筐体の内部に投入された貨幣を搬送する搬送部と、
前記搬送部に設けられ、前記投入口により前記筐体の内部に投入された貨幣の識別を行う識別部と、
前記筐体の内部に設けられ、貨幣の収納を行う収納庫と、
前記筐体内に設けられ、前記搬送部に接続され、前記投入口により前記筐体の内部に投入され前記識別部により識別された貨幣を一時的に保留する一時保留部と、
前記搬送部に接続され、前記筐体の内部から外部に貨幣を投出するための投出口と、
前記搬送部および前記一時保留部の制御を行う制御部であって、前記投入口により前記筐体の内部に投入され前記識別部により識別された貨幣を前記一時保留部に一時的に保留させ、その後、前記一時保留部に一時的に保留された貨幣について、前記識別部による識別結果に基づいて予め設定された複数の処理方法の中から一の処理方法を選択し、この処理方法で前記一時保留部に一時的に保留された貨幣の処理を行う制御部と、
を備え、
前記識別部は、少なくとも貨幣の金種の識別を行うようになっており、
前記収納庫は、貨幣を金種別に収納する複数の金種別収納庫を有し、
前記制御部は、前記一時保留部から貨幣を前記金種別収納庫に搬送して当該金種別収納庫に金種別に収納させるよう制御を行い、
前記制御部は、前記一時保留部から繰り出された貨幣がもし前記金種別収納庫に収納されると当該金種別収納庫がフル状態になることが検出された場合には、前記貨幣を、前記一時保留部から、貨幣を収納可能な状態の収納庫に搬送するよう制御を行うことを特徴とする貨幣処理装置。
【請求項１２】
貨幣の処理を行う貨幣処理装置であって、
筐体と、
前記筐体の外部から内部に貨幣を投入するための投入口と、
前記筐体の内部に設けられ、前記投入口により前記筐体の内部に投入された貨幣を搬送する搬送部と、
前記搬送部に設けられ、前記投入口により前記筐体の内部に投入された貨幣の識別を行う識別部と、
前記筐体の内部に設けられ、貨幣の収納を行う収納庫と、
前記筐体内に設けられ、前記搬送部に接続され、前記投入口により前記筐体の内部に投入され前記識別部により識別された貨幣を一時的に保留する一時保留部と、
前記搬送部に接続され、前記筐体の内部から外部に貨幣を投出するための投出口と、
前記搬送部および前記一時保留部の制御を行う制御部であって、前記投入口により前記筐体の内部に投入され前記識別部により識別された貨幣を前記一時保留部に一時的に保留させ、その後、前記一時保留部に一時的に保留された貨幣について、前記識別部による識別結果に基づいて予め設定された複数の処理方法の中から一の処理方法を選択し、この処理方法で前記一時保留部に一時的に保留された貨幣の処理を行う制御部と、
を備え、
前記一時保留部は、前記筐体から取り外すことができるようになっており、
前記制御部は、前記識別部による識別結果に基づいて、前記一時保留部に一時的に保留された貨幣の枚数が予め設定された設定枚数を超えたことを検出した場合には、前記一時保留部から貨幣を繰り出さないよう制御を行うことを特徴とする貨幣処理装置。
【請求項１３】
貨幣の処理を行う貨幣処理装置であって、
筐体と、
前記筐体の外部から内部に貨幣を投入するための投入口と、
前記筐体の内部に設けられ、前記投入口により前記筐体の内部に投入された貨幣を搬送する搬送部と、
前記搬送部に設けられ、前記投入口により前記筐体の内部に投入された貨幣の識別を行う識別部と、
前記筐体の内部に設けられ、貨幣の収納を行う収納庫と、
前記筐体内に設けられ、前記搬送部に接続され、前記投入口により前記筐体の内部に投入され前記識別部により識別された貨幣を一時的に保留する一時保留部と、
前記搬送部に接続され、前記筐体の内部から外部に貨幣を投出するための投出口と、
前記搬送部および前記一時保留部の制御を行う制御部であって、前記投入口により前記筐体の内部に投入され前記識別部により識別された貨幣を前記一時保留部に一時的に保留させ、その後、前記一時保留部に一時的に保留された貨幣について、前記識別部による識別結果に基づいて予め設定された複数の処理方法の中から一の処理方法を選択し、この処理方法で前記一時保留部に一時的に保留された貨幣の処理を行う制御部と、
を備え、
前記一時保留部は、前記筐体から取り外すことができるようになっており、前記識別部は、少なくとも貨幣の金種の識別を行うようになっており、
前記収納庫は、貨幣を金種別に収納する複数の金種別収納庫を有し、
前記制御部は、前記一時保留部から貨幣を前記金種別収納庫に搬送して当該金種別収納庫に金種別に収納させるよう制御を行い、
前記制御部は、前記一時保留部から繰り出された貨幣がもし前記金種別収納庫に収納されると当該金種別収納庫がフル状態になることが検出された場合には、前記一時保留部から貨幣を繰り出さないよう制御を行うことを特徴とする貨幣処理装置。
【発明の詳細な説明】
【技術分野】
【０００１】
本発明は、紙幣や硬貨等の貨幣を処理する貨幣処理装置に関する。
【背景技術】
【０００２】
従来から、紙幣や硬貨等の貨幣を処理する貨幣処理装置として、様々なタイプのものが知られている。例えば、特許文献１には、筐体の内部に投入された紙幣や硬貨等の貨幣が金種混合状態で一時保留部に一時的に保留され、銀行の行員等の操作者による承認の操作が行われた後に、一時保留部に一時的に保留された貨幣が複数の収納庫に金種別に収納されるような貨幣処理装置が開示されている。
【０００３】
上述のような従来の貨幣処理装置において、大量の貨幣が筐体の内部に投入されたときに、貨幣の入金処理の終了時に収納庫内で貨幣が満杯になってしまう場合がある。このため、このような場合、入金処理の終了後に、収納庫に収納された貨幣を回収して金庫等の外部設備に移すという作業が行われるようになっている。しかしながら、従来では、貨幣を一時保留部に一旦保留させた後に保留された貨幣を回収用の収納庫に移動させ、その後に収納庫から貨幣を回収して金庫等に移すようにしているため、このような作業に時間がかかってしまうという問題がある。とりわけ、特許文献１に開示されるような貨幣処理装置では、回収カセットに貨幣を移すための時間が更にかかってしまうという問題がある。
【０００４】
また、バラの紙幣を帯封した状態で、あるいはバラの硬貨を包装した状態で貨幣処理装置から金庫等に移す場合には、収納庫から繰り出されたバラの紙幣や硬貨を帯封部や包装部に搬送し、帯封部や包装部で紙幣や硬貨の帯封、包装を行う必要があり、収納庫から帯封部や包装部までの紙幣や硬貨の移動に時間がかかるという問題がある。
【先行技術文献】
【特許文献】
【０００５】
【特許文献１】特開平１０−２６９４１０号公報
【発明の概要】
【発明が解決しようとする課題】
【０００６】
本発明は、このような点を考慮してなされたものであり、紙幣や硬貨等の貨幣を収納庫から回収するための時間を短縮し、操作者が貨幣を筐体の内部に投入してから貨幣を回収して金庫等の外部設備に運搬するまでの時間を短縮することができる貨幣処理装置を提供することを目的とする。
【課題を解決するための手段】
【０００７】
本発明は、貨幣の処理を行う貨幣処理装置であって、筐体と、前記筐体の外部から内部に貨幣を投入するための投入口と、前記筐体の内部に設けられ、前記投入口により前記筐体の内部に投入された貨幣を搬送する搬送部と、前記搬送部に設けられ、前記投入口により前記筐体の内部に投入された貨幣の識別を行う識別部と、前記筐体の内部に設けられ、貨幣の収納を行う収納庫と、前記筐体内に設けられ、前記搬送部に接続され、前記投入口により前記筐体の内部に投入され前記識別部により識別された貨幣を一時的に保留する一時保留部と、前記搬送部に接続され、前記筐体の内部から外部に貨幣を投出するための投出口と、前記搬送部および前記一時保留部の制御を行う制御部であって、前記投入口により前記筐体の内部に投入され前記識別部により識別された貨幣を前記一時保留部に一時的に保留させ、その後、前記一時保留部に一時的に保留された貨幣について、前記識別部による識別結果に基づいて予め設定された複数の処理方法の中から一の処理方法を選択し、この処理方法で前記一時保留部に一時的に保留された貨幣の処理を行う制御部と、を備えたことを特徴とする貨幣処理装置である。
【０００８】
このような貨幣処理装置によれば、筐体の内部に投入された貨幣は、識別部により識別が行われた後に一時保留部に一時的に保留されるので、制御部は、一時保留部に一時的に保留されている貨幣の情報を得ることができる。そして、制御部は、識別部による識別結果に基づいて、予め設定された複数の処理方法の中から一の処理方法を選択し、この処理方法で一時保留部に一時的に保留された貨幣の処理を行う。このことにより、一時保留部内にある貨幣の識別結果から次の処理を決定するため、例えば、全ての貨幣を収納庫に送らずに回収したりすることができ、貨幣を収納庫から回収するための時間を短縮し、操作者が貨幣を筐体の内部に投入してから貨幣を回収して金庫等の外部設備に運搬するまでの時間を短縮することができる。
【０００９】
本発明の貨幣処理装置においては、前記貨幣処理装置は、貨幣として紙幣の処理を行うようになっており、前記識別部は、少なくとも紙幣の表裏の識別を行うようになっており、前記貨幣処理装置は、前記搬送部に接続された帯封部であって、当該帯封部に送られた複数の紙幣の帯封を行う帯封部を更に備え、前記制御部は、前記一時保留部に一時的に保留された紙幣について、表裏のいずれか一方の紙幣を前記帯封部に搬送して当該帯封部に所定の枚数の紙幣が送られたときにこの帯封部で紙幣の帯封を行わせ、表裏に関して他方の紙幣を前記収納庫に搬送して当該収納庫に収納させるよう制御を行ってもよい。
【００１０】
本発明の貨幣処理装置においては、前記貨幣処理装置は、貨幣として紙幣の処理を行うようになっており、前記識別部は、少なくとも紙幣の金種および表裏の識別を行うようになっており、前記収納庫は、複数の金種の紙幣を金種混合状態で収納する金種混合収納庫、および紙幣を金種別に収納する複数の金種別収納庫を有し、前記制御部は、前記一時保留部に一時的に保留された紙幣について、表裏のいずれか一方の紙幣を前記金種混合収納庫に搬送して当該金種混合収納庫に収納させ、表裏に関して他方の紙幣を前記金種別収納庫に搬送して当該金種別収納庫に金種別に収納させるよう制御を行ってもよい。
【００１１】
本発明の貨幣処理装置においては、前記貨幣処理装置は、貨幣として紙幣の処理を行うようになっており、前記識別部は、少なくとも紙幣の表裏の識別を行うようになっており、前記制御部は、前記一時保留部に一時的に保留された紙幣について、表裏のいずれか一方の紙幣を前記投出口に搬送して前記筐体の外部に投出し、表裏に関して他方の紙幣を前記収納庫に搬送して当該収納庫に収納させるよう制御を行ってもよい。
【００１２】
本発明の貨幣処理装置においては、前記貨幣処理装置は、貨幣として紙幣の処理を行うようになっており、前記識別部は、少なくとも紙幣の金種の識別を行うようになっており、前記貨幣処理装置は、前記搬送部に接続された帯封部であって、当該帯封部に送られた複数の紙幣の帯封を行う帯封部を更に備え、前記制御部は、前記識別部による識別結果に基づいて、前記一時保留部に一時的に保留された紙幣について、予め設定された設定枚数以上の枚数である紙幣の金種を検出し、当該制御部は、前記一時保留部に一時的に保留された紙幣のうち、前記検出された金種の紙幣を前記設定枚数分だけ前記帯封部に搬送して当該帯封部に前記設定枚数分の紙幣が送られたときにこの帯封部で紙幣の帯封を行わせるよう制御を行ってもよい。
【００１３】
この際に、前記収納庫は、紙幣を金種別に収納する複数の金種別収納庫を有し、前記制御部は、前記一時保留部に一時的に保留された紙幣のうち、前記検出された金種の紙幣について、前記設定枚数に満たないような端数の紙幣を前記金種別収納庫に搬送して当該金種別収納庫に金種別に収納させ、次の紙幣の入金処理を行う際に前記一時保留部に一時的に保留される紙幣のうち前記金種の紙幣の枚数が前記設定枚数に満たない場合には前記金種別収納庫に既に収納されている紙幣を帯封のために補填するよう制御を行ってもよい。
【００１４】
本発明の貨幣処理装置においては、前記貨幣処理装置は、貨幣として硬貨の処理を行うようになっており、前記識別部は、少なくとも硬貨の金種の識別を行うようになっており、前記貨幣処理装置は、前記搬送部に接続された包装部であって、当該包装部に送られた複数の硬貨の包装を行う包装部を更に備え、前記制御部は、前記識別部による識別結果に基づいて、前記一時保留部に一時的に保留された硬貨について、予め設定された設定枚数以上の枚数である硬貨の金種を検出し、当該制御部は、前記一時保留部に一時的に保留された硬貨のうち、前記検出された金種の硬貨を前記設定枚数分だけ前記包装部に搬送して当該包装部に前記設定枚数分の硬貨が送られたときにこの包装部で硬貨の包装を行わせるよう制御を行ってもよい。
【００１５】
この際に、前記収納庫は、硬貨を金種別に収納する複数の金種別収納庫を有し、前記制御部は、前記一時保留部に一時的に保留された硬貨のうち、前記検出された金種の硬貨について、前記設定枚数に満たないような端数の硬貨を前記金種別収納庫に搬送して当該金種別収納庫に金種別に収納させ、次の硬貨の入金処理を行う際に前記一時保留部に一時的に保留される硬貨のうち前記金種の硬貨の枚数が前記設定枚数に満たない場合には前記金種別収納庫に既に収納されている硬貨を包装のために補填するよう制御を行ってもよい。
【００１６】
本発明の貨幣処理装置においては、前記識別部は、少なくとも貨幣の金種の識別を行うようになっており、前記収納庫は、複数の金種の貨幣を金種混合状態で収納する一括収納庫、および貨幣を金種別に収納する複数の金種別収納庫を有し、前記制御部は、前記識別部による識別結果に基づいて、前記一時保留部に一時的に保留された貨幣について、予め設定された設定枚数以上の枚数である貨幣の金種を検出し、当該制御部は、前記一時保留部に一時的に保留された貨幣のうち、前記検出された金種の貨幣を前記金種混合収納庫に搬送して当該金種混合収納庫に収納させ、それ以外の金種の貨幣を前記金種別収納庫に搬送して当該金種別収納庫に金種別に収納させるよう制御を行ってもよい。
【００１７】
本発明の貨幣処理装置においては、前記識別部は、少なくとも貨幣の金種の識別を行うようになっており、前記収納庫は、貨幣を金種別に収納する複数の金種別収納庫を有し、前記制御部は、前記識別部による識別結果に基づいて、前記一時保留部に一時的に保留された貨幣について、予め設定された設定枚数以上の枚数である貨幣の金種を検出し、当該制御部は、前記一時保留部に一時的に保留された貨幣のうち、前記検出された金種の貨幣を前記投出口に搬送して前記筐体の外部に投出し、それ以外の金種の貨幣を前記金種別収納庫に搬送して当該金種別収納庫に金種別に収納させるよう制御を行ってもよい。
【００１８】
本発明の貨幣処理装置においては、前記識別部は、少なくとも貨幣の金種の識別を行うようになっており、前記収納庫は、貨幣を金種別に収納する複数の金種別収納庫を有し、前記制御部は、前記一時保留部から繰り出された貨幣を前記金種別収納庫に搬送して当該金種別収納庫に金種別に収納させるよう制御を行い、前記制御部は、前記一時保留部から繰り出された貨幣がもし前記金種別収納庫に収納されると当該金種別収納庫がフル状態になることが検出された場合には、この金種別収納庫から所定量の貨幣が取り出されて貨幣を収納可能な状態になったことが検出された後に、前記貨幣を前記一時保留部から前記金種別収納庫に搬送するよう制御を行ってもよい。
【００１９】
本発明の貨幣処理装置においては、前記識別部は、少なくとも貨幣の金種の識別を行うようになっており、前記収納庫は、貨幣を金種別に収納する複数の金種別収納庫を有し、前記制御部は、前記一時保留部から貨幣を前記金種別収納庫に搬送して当該金種別収納庫に金種別に収納させるよう制御を行い、前記制御部は、前記一時保留部から繰り出された貨幣がもし前記金種別収納庫に収納されると当該金種別収納庫がフル状態になることが検出された場合には、前記貨幣を、前記一時保留部から、貨幣を収納可能な状態の収納庫に搬送するよう制御を行ってもよい。
【００２０】
本発明の貨幣処理装置においては、前記一時保留部は、前記筐体から取り外すことができるようになっており、前記制御部は、前記識別部による識別結果に基づいて、前記一時保留部に一時的に保留された貨幣の枚数が予め設定された設定枚数を超えたことを検出した場合には、前記一時保留部から貨幣を繰り出さないよう制御を行ってもよい。
【００２１】
本発明の貨幣処理装置においては、前記一時保留部は、前記筐体から取り外すことができるようになっており、前記識別部は、少なくとも貨幣の金種の識別を行うようになっており、前記収納庫は、貨幣を金種別に収納する複数の金種別収納庫を有し、前記制御部は、前記一時保留部から貨幣を前記金種別収納庫に搬送して当該金種別収納庫に金種別に収納させるよう制御を行い、前記制御部は、前記一時保留部から繰り出された貨幣がもし前記金種別収納庫に収納されると当該金種別収納庫がフル状態になることが検出された場合には、前記一時保留部から貨幣を繰り出さないよう制御を行ってもよい。
【発明の効果】
【００２２】
本発明の貨幣処理装置によれば、紙幣や硬貨等の貨幣を収納庫から回収するための時間を短縮し、操作者が貨幣を筐体の内部に投入してから貨幣を回収して金庫等の外部設備に運搬するまでの時間を短縮することができる。
【図面の簡単な説明】
【００２３】
【図１】本発明の一の実施の形態における紙幣処理装置の内部の構成を示す構成図である。
【図２】図１に示す紙幣処理装置の制御ブロック図である。
【図３】図１および図２に示す紙幣処理装置における、紙幣の入金処理モードの動作を示すフローチャートである。
【図４】図３に示す紙幣の入金処理モードにおける紙幣の流れを示す説明図である。
【図５】図１および図２に示す紙幣処理装置における、紙幣の出金処理モードの動作を示すフローチャートである。
【図６】図５に示す紙幣の出金処理モードにおける紙幣の流れを示す説明図である。
【図７】図１および図２に示す紙幣処理装置における、紙幣の大量入金処理モードの第１の態様の動作における紙幣の流れを示す説明図である。
【図８】図１および図２に示す紙幣処理装置における、紙幣の大量入金処理モードの第２の態様の動作における紙幣の流れを示す説明図である。
【図９】図１および図２に示す紙幣処理装置における、紙幣の大量入金処理モードの第３の態様の動作における紙幣の流れを示す説明図である。
【図１０】図１および図２に示す紙幣処理装置における、紙幣の大量入金処理モードの第４の態様の動作における紙幣の流れを示す説明図である。
【図１１】図１および図２に示す紙幣処理装置における、紙幣の大量入金処理モードの第５の態様の動作における紙幣の流れを示す説明図である。
【図１２】図１および図２に示す紙幣処理装置における、紙幣の大量入金処理モードの第６の態様の動作における紙幣の流れを示す説明図である。
【図１３】本発明の他の実施の形態における硬貨処理装置の内部の構成を示す構成図である。
【図１４】図１３に示す硬貨処理装置の制御ブロック図である。
【図１５】図１３および図１４に示す硬貨処理装置における、硬貨の大量入金処理モードの第１の態様の動作における紙幣の流れを示す説明図である。
【図１６】図１３および図１４に示す硬貨処理装置における、硬貨の大量入金処理モードの第２の態様の動作における紙幣の流れを示す説明図である。
【図１７】図１３および図１４に示す硬貨処理装置における、硬貨の大量入金処理モードの第３の態様の動作における紙幣の流れを示す説明図である。
【発明を実施するための形態】
【００２４】
以下、図面を参照して本発明の一の実施の形態について説明する。図１乃至図１２は、本実施の形態に係る紙幣処理装置を示す図である。このうち、図１は、本実施の形態における紙幣処理装置の内部の構成を示す構成図であり、図２は、図１に示す紙幣処理装置の制御ブロック図である。また、図３および図４は、図１および図２に示す紙幣処理装置における、紙幣の入金処理モードの動作を示す図であり、図５および図６は、図１および図２に示す紙幣処理装置における、紙幣の出金処理モードの動作を示す図である。また、図７乃至図１２は、図１および図２に示す紙幣処理装置における、紙幣の大量入金処理モードの様々な態様の動作をそれぞれ示す説明図である。
【００２５】
まず、図１により、本実施の形態の紙幣処理装置１０の全体的な構成について説明する。図１に示すように、紙幣処理装置１０は略直方体形状の筐体１２を備えており、この筐体１２の前面には、当該筐体１２の外部から内部に紙幣を投入するための投入口１４が設けられている。また、投入口１４は、筐体１２の内部から外部に紙幣を投出するための投出口としても機能するようになっている。すなわち、投入口１４は、操作者がこの投入口１４に紙幣を投入したりこの投入口１４から紙幣を取り出したりすることができるよう構成されている。より具体的には、図１に示すように投入口１４は鉛直方向に対して斜めに傾斜しており、この投入口１４には紙幣が積層状態で斜めに傾斜して投入されるようになっている。図１において、投入口１４に投入された紙幣を参照符号Ｐで示す。
【００２６】
投入口１４には紙幣繰出機構１４ａが設けられており、この紙幣繰出機構１４ａにより投入口１４に集積された紙幣が１枚ずつ筐体１２の内部に繰り出されるようになっている。また、紙幣の出金処理を行う際には、筐体１２の内部に設けられた搬送部１６（後述）から紙幣が１枚ずつ投入口１４に送られるようになっている。
【００２７】
また、投入口１４にはシャッター機構２４（図１では図示せず）が設けられており、このシャッター機構２４により投入口１４の開閉が行われるようになっている。より具体的には、操作者が投入口１４に紙幣を投入したり投入口１４から紙幣を取り出したりする際には、シャッター機構２４が開いて投入口１４が筐体１２の外部に露出されるようになっている。一方、投入口１４に集積された紙幣が１枚ずつ紙幣繰出機構１４ａにより筐体１２の内部に繰り出されたり搬送部１６（後述）から投入口１４に紙幣が１枚ずつ送られたりする際には、シャッター機構２４が投入口１４を塞ぐようになっている。
【００２８】
図１に示すように、筐体１２の内部には、紙幣を１枚ずつ搬送するための搬送部１６が設けられている。搬送部１６には投入口１４が接続されており、投入口１４に集積され、紙幣繰出機構１４ａにより筐体１２の内部に繰り出された紙幣は、搬送部１６により搬送されるようになっている。また、搬送部１６における各分岐箇所には分岐部材２６が設けられている。後述する制御部５０により各分岐部材２６が制御されることによって、紙幣の搬送経路が決められるようになっている。
【００２９】
搬送部１６には識別部１８が設置されている。識別部１８は、搬送部１６で搬送される紙幣の金種や正損、表裏、真偽等を識別するようになっている。より具体的には、識別部１８は、例えば、投入口１４から筐体１２の内部に繰り出された紙幣の金種や正損、表裏、真偽等を識別するようになっている。
【００３０】
図１に示すように、筐体１２の前面には入金リジェクト口２０が設けられている。この入金リジェクト口２０は搬送部１６に接続されている。そして、紙幣繰出機構１４ａにより筐体１２の内部に繰り出された紙幣のうち、識別部１８により正常な紙幣であると識別された紙幣以外の紙幣は、リジェクト紙幣として搬送部１６により入金リジェクト口２０に送られるようになっている。より具体的には、識別部１８により偽券であると識別された紙幣や、識別部１８により識別することができなかった紙幣、あるいは斜行や重送等の搬送異常が検出された紙幣は、リジェクト紙幣として搬送部１６により入金リジェクト口２０に送られるようになっている。
【００３１】
また、筐体１２の内部には出金リジェクト部２２が設けられており、この出金リジェクト部２２は搬送部１６に接続されている。そして、紙幣の大量入金処理モードにおける一時集積部４０（後述）への搬送時や紙幣の出金処理モードにおいて、後述する紙幣収納部３０から搬送部１６に繰り出された紙幣のうち、識別部１８により正常な紙幣であると識別された紙幣以外の紙幣（具体的には例えば斜行や重送等の搬送異常が検出された紙幣）は、搬送部１６により出金リジェクト部２２に送られるようになっている。
【００３２】
図１に示すように、筐体１２の下部には複数の紙幣収納部３０が収納されている。各紙幣収納部３０はそれぞれ搬送部１６に接続されており、搬送部１６から送られた紙幣を積層状態で収納するとともに、収納された紙幣を１枚ずつ搬送部１６に繰り出すようになっている。複数の紙幣収納部３０は、入金一時保留部３２、３つの金種別収納部３４ａ〜３４ｃおよび金種混合収納部３６から構成されている。
【００３３】
複数の紙幣収納部３０のうち、入金一時保留部３２は、投入口１４により筐体１２の外部から内部に投入され、識別部１８により正常な紙幣であると識別された紙幣を一時的に保留するようになっている。そして、入金一時保留部３２により一時的に保留された紙幣は、操作者によって後述する操作部５２により紙幣の入金処理の確定がなされたときに、各金種別収納部３４ａ〜３４ｃや金種混合収納部３６に送られるようになっている。
【００３４】
各金種別収納部３４ａ〜３４ｃは、それぞれ、予め設定された特定の金種の紙幣を収納するようになっている。より具体的に説明すると、各金種別収納部３４ａ〜３４ｃにはそれぞれ対応する紙幣の金種が予め設定されており、この設定された金種のみの紙幣を各金種別収納部３４ａ〜３４ｃはそれぞれ収納するようになっている。
【００３５】
一方、金種混合収納部３６は、複数の金種の紙幣を混合して収納するようになっている。より具体的には、金種混合収納部３６には、各金種別収納部３４ａ〜３４ｃにおいて設定されている金種以外の金種の紙幣が収納されるようになっている。また、各金種別収納部３４ａ〜３４ｃのうちある金種別収納部がフル状態となったときには、この金種別収納部に対応する金種の紙幣が搬送部１６から金種混合収納部３６に送られ、この金種混合収納部３６に収納されるようになっていてもよい。
【００３６】
各紙幣収納部３０にはそれぞれ紙幣繰出機構３０ａが設けられており、各紙幣収納部３０に積層状態で収納された紙幣は紙幣繰出機構３０ａにより１枚ずつ搬送部１６に繰り出すことができるようになっている。
【００３７】
図１に示すように、各紙幣収納部３０は引き出しユニット３８に収容されている。この引き出しユニット３８は、紙幣処理装置１０の筐体１２から図１の右方向に引き出すことができるようになっており、引き出しユニット３８を筐体１２から引き出した後、各紙幣収納部３０を引き出しユニット３８から上方に取り出すことができるようになっている。このようにして、各紙幣収納部３０に収納された紙幣を、この紙幣を収納する紙幣収納部３０ごと筐体１２の外部から回収することができる。
【００３８】
また、筐体１２の内部には一時集積部４０が設けられている。この一時集積部４０には搬送部１６が接続されており、搬送部１６から１枚ずつ送られた紙幣が一時集積部４０に積層状態で集積されるようになっている。また、一時集積部４０の近傍には帯封部４４が設けられており、帯封部４４は、一時集積部４０から送られた紙幣の束を帯封して帯封紙幣を形成するようになっている。より具体的には、一時集積部４０や帯封部４４の近傍には移動自在の搬送アーム４２が設けられており、搬送アーム４２は、一時集積部４０に集積された紙幣の束を帯封部４４に搬送するようになっている。
【００３９】
帯封部４４において、搬送アーム４２上にある紙幣の束に対して帯封紙が供給され、この紙幣の束が帯封紙で巻かれるようになっている。そして、帯封紙で巻かれた紙幣の束は、上下一対の札締め部材（図示せず）により上下方向から挟圧されるとともに、ヒータ（図示せず）により加熱させられる。このことにより、帯封紙によって紙幣の束の帯封処理（結束処理）が行われ、帯封紙幣が形成されることとなる。
【００４０】
また、帯封部４４には、帯封紙幣の帯封紙に対して印字を行うスタンプ４４ａが設けられている。前述のように帯封処理が行われた帯封紙幣はスタンプ４４ａに送られ、このスタンプ４４ａによって帯封紙幣の帯封紙に対して、銀行名や、正券か損券かを示す印等の印字が行われる。また、帯封部４４には、帯封紙に日付やシリアルナンバー等の印字を行うための印字部分４４ｂが設けられており、搬送アーム４２上にある紙幣の束に対して帯封紙を供給する際に、供給される前の帯封紙に対して印字部分４４ｂにより印字が行われるようになっている。
【００４１】
また、図１に示すように、筐体１２の前面には、帯封部４４により形成された帯封紙幣を筐体１２の内部から外部に投出するための帯封紙幣投出口４６が設けられている。帯封紙幣投出口４６には、帯封部４４から搬送アーム４２により帯封紙幣が送られるようになっており、この帯封紙幣投出口４６には複数の帯封紙幣が積層状態で集積されるようになっている。そして、操作者は、帯封紙幣投出口４６に集積された帯封紙幣を筐体１２の外部から取り出すことができるようになっている。
【００４２】
帯封紙幣投出口４６にはシャッター機構２５（図１では図示せず）が設けられており、このシャッター機構２５により帯封紙幣投出口４６の開閉が行われるようになっている。より具体的には、操作者が帯封紙幣投出口４６から帯封紙幣を取り出す際には、シャッター機構２５が開いて帯封紙幣投出口４６が筐体１２の外部に露出されるようになっている。一方、紙幣の入金処理モードや出金処理モードにおいては、シャッター機構２５が帯封紙幣投出口４６を塞ぐようになっている。
【００４３】
また、図１に示すように、紙幣処理装置１０の各構成要素の制御を行う制御部５０が筐体１２の内部に設けられている。制御部５０の構成について、図２を用いて説明する。
【００４４】
図２に示すように、制御部５０には、投入口１４に設けられた紙幣繰出機構１４ａ、搬送部１６、識別部１８、各紙幣収納部３０に設けられた紙幣繰出機構３０ａ、搬送部１６の各分岐箇所に設けられた分岐部材２６、投入口１４や帯封紙幣投出口４６に設けられたシャッター機構２４、２５、搬送アーム４２、帯封部４４等が接続されている。また、制御部５０には、操作部５２、表示部５４、インターフェース５６が接続されている。ここで、識別部１８により識別された紙幣の識別情報は制御部５０に送られるようになっている。また、制御部５０は、紙幣繰出機構１４ａ、搬送部１６、紙幣繰出機構３０ａ、分岐部材２６、シャッター機構２４、２５、搬送アーム４２および帯封部４４等に対してそれぞれ制御信号を送り、これらの構成要素の制御を行うようになっている。
【００４５】
操作部５２は、操作者が制御部５０に様々な指示を送るためのものであり、例えばキーボードや各種キー等により構成されている。また、表示部５４は、紙幣処理装置１０における様々な紙幣の処理状況、例えば各紙幣収納部３０に収納されている紙幣の金種毎の枚数等を表示するようになっている。これらの操作部５２および表示部５４は紙幣処理装置１０の筐体１２の前面や上面に設けられている。なお、操作部５２および表示部５４は一体のものとなっていてもよい。具体的には、例えば筐体１２の前面や上面にタッチパネルが設けられており、このタッチパネルに、紙幣処理装置１０における様々な紙幣の処理状況が表示されるとともに、タッチパネルに表示される各種キーを押下することにより操作者が制御部５０に様々な指示を送ることができるようになっていてもよい。
【００４６】
また、制御部５０は、インターフェース５６を介して、紙幣処理装置１０とは別の外部装置５８（例えば、上位装置）と情報の送受信を行うことができるようになっている。
【００４７】
次に、上述のような構成からなる紙幣処理装置１０の動作について説明する。紙幣処理装置１０による処理の内容としては、概して、顧客から預かった紙幣を入金する入金処理モード、および顧客に紙幣を支払うために紙幣収納部３０から紙幣を出金する出金処理モード、等がある。なお、以下に示すような紙幣処理装置１０の動作は、制御部５０が紙幣処理装置１０の各構成要素を制御することにより行われる。
【００４８】
まず、顧客から預かった紙幣を入金、収納する入金処理モードについて図３および図４を用いて説明する。
【００４９】
入金処理モードにおいて、まず、紙幣処理装置１０の投入口１４のシャッター機構２４を開き、操作者が紙幣を投入口１４に投入する（図３のＳＴＥＰ１）。そして、シャッター機構２４を閉じると、投入口１４に投入された紙幣は紙幣繰出機構１４ａにより１枚ずつ搬送部１６に繰り出される（図３のＳＴＥＰ２）。紙幣繰出機構１４ａにより搬送部１６に繰り出された紙幣は当該搬送部１６により搬送され、識別部１８によりその金種や正損、表裏、真偽等の識別が行われる（図３のＳＴＥＰ３）。識別部１８により正常な紙幣であると識別された紙幣は（図３のＳＴＥＰ４の「ＹＥＳ」）、分岐部材２６により入金一時保留部３２に搬送される（図３のＳＴＥＰ５および図４の太線（図４の符号Ａ参照））。入金一時保留部３２において、搬送部１６から送られた紙幣が積層状態で一時的に保留される。
【００５０】
一方、識別部１８により正常な紙幣であると識別された紙幣以外の紙幣は、すなわち、識別部１８により偽券であると識別された紙幣や、識別部１８により識別することができなかった紙幣、あるいは斜行や重送等の搬送異常が検出された紙幣は（図３のＳＴＥＰ４の「ＮＯ」）、リジェクト紙幣として搬送部１６により入金リジェクト口２０に送られ（図３のＳＴＥＰ６および図４の点線（図４の符号Ｂ参照））、この入金リジェクト口２０に集積される。そして、投入口１４から紙幣が全て筐体１２の内部に繰り出された後に、入金リジェクト口２０に集積されたリジェクト紙幣は操作者により取り出されることとなる。
【００５１】
図３のＳＴＥＰ２〜ＳＴＥＰ６に示すような動作は、投入口１４に投入された紙幣が全て筐体１２の内部に繰り出されるまで行われる（図３のＳＴＥＰ７の「ＮＯ」）。そして、投入口１４に投入された紙幣が全て筐体１２の内部に繰り出されると（図３のＳＴＥＰ７の「ＹＥＳ」）、表示部５４にこのことが表示される。そして、操作者が操作部５２により「入金確定」の指令を制御部５０に対して行うと（図３のＳＴＥＰ８の「ＹＥＳ」）、入金一時保留部３２から紙幣が１枚ずつ紙幣繰出機構３０ａにより繰り出され、この繰り出された紙幣はその金種に基づいて各金種別収納部３４ａ〜３４ｃに搬送され、これらの金種別収納部３４ａ〜３４ｃに収納される。一方、入金一時保留部３２から繰り出された紙幣について、その金種が、金種別収納部３４ａ〜３４ｃにおける金種と一致しない場合や、対応する金種の金種別収納部３４ａ〜３４ｃがフル状態である場合には、この紙幣は金種混合収納部３６に搬送され、この金種混合収納部３６に金種混合状態で収納される（図３のＳＴＥＰ９）。このようにして、紙幣の入金処理モードが終了する。
【００５２】
また、操作者が操作部５２により「入金確定」の指令の代わりに「返却」の指令を制御部５０に対して行うと（図３のＳＴＥＰ１０の「ＹＥＳ」）、入金一時保留部３２から紙幣が１枚ずつ紙幣繰出機構３０ａにより繰り出され、この繰り出された紙幣は投入口１４に戻される（図３のＳＴＥＰ１１）。そして、入金一時保留部３２から投入口１４に全ての紙幣が搬送された後に、この投入口１４に設けられたシャッター機構２４が開くことによって、投入口１４に戻された紙幣は操作者により取り出されることとなる。
【００５３】
次に、顧客に紙幣を支払うために紙幣収納部３０から紙幣を出金する出金処理モードについて図５および図６を用いて説明する。
【００５４】
出金処理モードにおいて、操作者が操作部５２により制御部５０に対して紙幣の出金処理の指令を与えると、紙幣収納部３０の各金種別収納部３４ａ〜３４ｃや金種混合収納部３６から紙幣が１枚ずつ紙幣繰出機構３０ａにより搬送部１６に繰り出され（図５のＳＴＥＰ２１）、繰り出された紙幣は識別部１８により識別される（図５のＳＴＥＰ２２）。ここで、識別部１８により識別された紙幣が正常な紙幣である場合には（図５のＳＴＥＰ２３の「ＹＥＳ」）、この紙幣は搬送部１６により投入口１４に搬送され、投入口１４に集積される（図５のＳＴＥＰ２４および図６の太線（図６の符号Ａ参照））。前述のように、投入口１４は、筐体１２の内部から外部に紙幣を投出するための投出口としても機能するようになっている。一方、識別部１８により識別された紙幣が、正常な紙幣以外の紙幣である場合には（図５のＳＴＥＰ２３の「ＮＯ」）、この紙幣は搬送部１６により出金リジェクト部２２に搬送される（図５のＳＴＥＰ２５および図６の点線（図６の符号Ｂ参照））。そして、各金種別収納部３４ａ〜３４ｃや金種混合収納部３６から、全ての紙幣または所定の合計金額の紙幣が繰り出されると（図５のＳＴＥＰ２６の「ＹＥＳ」）、投入口１４に設けられたシャッター機構２４が開くことによって、投入口１４に集積された紙幣は操作者により出金紙幣として取り出される（図５のＳＴＥＰ２７）。このようにして、紙幣の出金処理モードが終了する。
【００５５】
また、本実施の形態の紙幣処理装置１０では、上述のような入金処理モードや出金処理モードに加えて、以下に示すような大量入金処理モードを選択的に行うことができる。あるいは、上述のような入金処理モードに代えて、以下に示すような大量入金処理モードが強制的に行われるようになっていてもよい。
【００５６】
紙幣処理装置１０における大量入金処理モードでは、制御部５０は、投入口１４により筐体１２の内部に投入され識別部１８により識別された紙幣を入金一時保留部３２に一時的に保留させ、その後、入金一時保留部３２に一時的に保留された紙幣について、識別部１８による識別結果に基づいて予め設定された複数の処理方法の中から一の処理方法を選択し、この処理方法で入金一時保留部３２に一時的に保留された紙幣の処理を行う。このような大量入金処理モードとしては、様々な態様がある。操作者は、大量入金処理モードを行うにあたり、操作部５２によりどの態様の大量入金処理モードを行うかを制御部５０に指令する。あるいは、特定の態様の処理が行われるよう制御部５０においてデフォルトの設定が行われていてもよい。
【００５７】
紙幣処理装置１０における大量入金処理モードでは、投入口１４に投入された紙幣が入金一時保留部３２に送られるまでは、図３のフローチャートのＳＴＥＰ１〜ＳＴＥＰ７に示す動作と同様の動作が行われる。投入口１４に投入された紙幣が全て入金一時保留部３２または入金リジェクト口２０に送られた後、以下に示すような様々な態様の動作のうち一の態様の動作が選択的に行われる。
【００５８】
大量入金処理モードの第１の態様について図７を用いて以下に説明する。投入口１４に投入された紙幣が入金一時保留部３２に送られた後、この入金一時保留部３２には、表面が上を向いて集積された紙幣と裏面が上を向いて集積された紙幣とが混在して保留されている。大量入金処理モードの第１の態様では、例えば、表面が上を向いて集積された紙幣を入金一時保留部３２から一時集積部４０に搬送し（図７の太線（図７の符号Ａ参照））、一方、裏面が上を向いて集積された紙幣を入金一時保留部３２から各金種別収納部３４ａ〜３４ｃまたは金種混合収納部３６に搬送する（図７の点線（図７の符号Ｂ参照））。
【００５９】
一時集積部４０に集積された紙幣が所定枚数に達した場合には、搬送アーム４２により一時集積部４０から帯封部４４に紙幣の束を搬送し、帯封部４４において紙幣の束の帯封処理を行う。このようにして帯封部４４で形成された帯封紙幣は搬送アーム４２により帯封紙幣投出口４６に搬送される（図７の太線参照）。その後、操作者は、帯封紙幣投出口４６に搬送された帯封紙幣を回収する。なお、帯封部４４により紙幣の束の帯封処理が行われた後、帯封紙幣が筐体１２内に収納されるようになっていてもよい。
【００６０】
ここで、上述のような第１の態様の動作が行われる際に、投入口１４に投入された紙幣が入金一時保留部３２に送られた後、この入金一時保留部３２に保留された紙幣のうち、表面が上を向いて集積された紙幣および裏面が上を向いて集積された紙幣のどちらの枚数が多いかの判断が識別部１８による識別結果（紙幣の表裏についての識別結果）に基づいて行われるようになっていてもよい。この場合、表裏に関して枚数が多い方の紙幣を入金一時保留部３２から一時集積部４０に搬送し、表裏に関して枚数が少ない方の紙幣を入金一時保留部３２から各金種別収納部３４ａ〜３４ｃまたは金種混合収納部３６に搬送してもよい。
【００６１】
なお、各金種別収納部３４ａ〜３４ｃや金種混合収納部３６に紙幣が収納される際に、裏面が上を向いた状態で紙幣は集積される。このため、入金一時保留部３２において表面が上を向いて集積された紙幣を各金種別収納部３４ａ〜３４ｃや金種混合収納部３６に搬送する際には、入金一時保留部３２から識別部１８を経て直接的に各金種別収納部３４ａ〜３４ｃや金種混合収納部３６に紙幣は搬送される。一方、入金一時保留部３２において裏面が上を向いて集積された紙幣を各金種別収納部３４ａ〜３４ｃや金種混合収納部３６に搬送する際には、入金一時保留部３２から識別部１８を経て一旦投入口１４に紙幣を搬送し、この投入口１４から紙幣を、識別部１８を経て各金種別収納部３４ａ〜３４ｃや金種混合収納部３６に搬送するようにする。このことにより、各金種別収納部３４ａ〜３４ｃや金種混合収納部３６に、裏面が上を向いた状態で紙幣を収納することができる。
【００６２】
次に、大量入金処理モードの第２の態様について図８を用いて以下に説明する。投入口１４に投入された紙幣が入金一時保留部３２に送られた後、この入金一時保留部３２には、表面が上を向いて集積された紙幣と裏面が上を向いて集積された紙幣とが混在して保留されている。大量入金処理モードの第２の態様では、例えば、表面が上を向いて集積された紙幣を入金一時保留部３２から金種混合収納部３６に搬送し（図８の太線（図８の符号Ａ参照））、一方、裏面が上を向いて集積された紙幣を入金一時保留部３２から各金種別収納部３４ａ〜３４ｃに金種別に搬送する（図８の点線（図８の符号Ｂ参照））。
【００６３】
その後、操作者は、引き出しユニット３８を筐体１２から外部に引き出すとともに、金種混合収納部３６を引き出しユニット３８から上方に取り出し、この金種混合収納部３６に収納された紙幣を金種混合収納部３６ごと回収する。
【００６４】
ここで、上述のような第２の態様の動作が行われる際に、投入口１４に投入された紙幣が入金一時保留部３２に送られた後、この入金一時保留部３２に保留された紙幣のうち、表面が上を向いて集積された紙幣および裏面が上を向いて集積された紙幣のどちらの枚数が多いかの判断が識別部１８による識別結果（紙幣の表裏についての識別結果）に基づいて行われるようになっていてもよい。この場合、表裏に関して枚数が多い方の紙幣を入金一時保留部３２から金種混合収納部３６に搬送し、表裏に関して枚数が少ない方の紙幣を入金一時保留部３２から各金種別収納部３４ａ〜３４ｃに金種別に搬送してもよい。
【００６５】
次に、大量入金処理モードの第３の態様について図９を用いて以下に説明する。投入口１４に投入された紙幣が入金一時保留部３２に送られた後、この入金一時保留部３２には、表面が上を向いて集積された紙幣と裏面が上を向いて集積された紙幣とが混在して保留されている。大量入金処理モードの第３の態様では、例えば、表面が上を向いて集積された紙幣を入金一時保留部３２から投入口１４に搬送し（図９の太線（図９の符号Ａ参照））、一方、裏面が上を向いて集積された紙幣を入金一時保留部３２から各金種別収納部３４ａ〜３４ｃまたは金種混合収納部３６に搬送する（図９の点線（図８の符号Ｂ参照））。
【００６６】
そして、入金一時保留部３２から全ての紙幣が繰り出されると、投入口１４に設けられたシャッター機構２４が開くことによって、投入口１４に集積された紙幣は操作者により回収される。
【００６７】
ここで、上述のような第３の態様の動作が行われる際に、投入口１４に投入された紙幣が入金一時保留部３２に送られた後、この入金一時保留部３２に保留された紙幣のうち、表面が上を向いて集積された紙幣および裏面が上を向いて集積された紙幣のどちらの枚数が多いかの判断が識別部１８による識別結果（紙幣の表裏についての識別結果）に基づいて行われるようになっていてもよい。この場合、表裏に関して枚数が多い方の紙幣を入金一時保留部３２から投入口１４に搬送し、表裏に関して枚数が少ない方の紙幣を入金一時保留部３２から各金種別収納部３４ａ〜３４ｃまたは金種混合収納部３６に搬送してもよい。
【００６８】
次に、大量入金処理モードの第４の態様について図１０を用いて以下に説明する。投入口１４に投入された紙幣が入金一時保留部３２に送られた後、この入金一時保留部３２には、様々な金種の紙幣が混在して保留されている。大量入金処理モードの第４の態様では、制御部５０は、識別部１８による識別結果（紙幣の金種の識別結果）に基づいて、入金一時保留部３２に一時的に保留された紙幣について、予め設定された設定枚数以上の枚数である紙幣の金種を帯封用紙幣の金種として検出する。具体的には、帯封部４４において例えば１００枚の紙幣が帯封されて帯封紙幣が形成される場合は、紙幣の設定枚数は１００枚となる。そして、入金一時保留部３２に一時的に保留された紙幣のうち、帯封用紙幣の金種として検出された金種の紙幣を設定枚数分だけ入金一時保留部３２から一時集積部４０に搬送し（図１０の太線）、この一時集積部４０に設定枚数分の紙幣が送られたときに帯封部４４で紙幣の帯封が行われる。より詳細には、予め設定された設定枚数が１００枚であり、入金一時保留部３２に例えば１３０枚の千円札および５０枚の一万円札が一時的に保留されていた場合には、入金一時保留部３２から一時集積部４０に１００枚の千円札が１枚ずつ搬送され、一時集積部４０に１００枚の千円札が集積された後、搬送アーム４２により一時集積部４０から帯封部４４に千円札の束を搬送し、帯封部４４において千円札の束の帯封処理を行う（図１０の太線参照）。
【００６９】
ここで、制御部５０は、入金一時保留部３２に一時的に保留された紙幣のうち、帯封用紙幣の金種として検出された金種の紙幣について、設定枚数に満たないような端数の紙幣を各金種別収納部３４ａ〜３４ｃに金種別に収納するよう制御を行う。例えば、上述の例では、入金一時保留部３２に一時的に保留される１３０枚の千円札のうち３０枚の千円札は、端数の紙幣として、千円札を収納する金種別収納部（例えば金種別収納部３４ａ）に１枚ずつ搬送される。その後、制御部５０は、次の紙幣の入金処理を行う際に入金一時保留部３２に一時的に保留される紙幣のうち千円札の枚数が設定枚数に満たない場合には、金種別収納部３４ａに既に収納されている紙幣を帯封のために補填するよう制御を行う。具体的には、次の紙幣の入金処理を行う際に入金一時保留部３２に例えば９８枚の千円札が一時的に保留された場合には、この９８枚の千円札に加え、金種別収納部３４ａに既に収納されている３０枚の千円札のうち２枚の千円札が一時集積部４０に送られ、合計１００枚の千円札の帯封処理が帯封部４４により行われる。
【００７０】
次に、大量入金処理モードの第５の態様について図１１を用いて以下に説明する。投入口１４に投入された紙幣が入金一時保留部３２に送られた後、この入金一時保留部３２には、様々な金種の紙幣が混在して保留されている。大量入金処理モードの第５の態様では、制御部５０は、識別部１８による識別結果（紙幣の金種の識別結果）に基づいて、入金一時保留部３２に一時的に保留された紙幣について、予め設定された設定枚数以上の枚数である紙幣の金種を回収用紙幣の金種として検出する。そして、入金一時保留部３２に一時的に保留された紙幣のうち、回収用紙幣の金種として検出された金種の紙幣を入金一時保留部３２から金種混合収納部３６に搬送し（図１１の太線（図１１の符号Ａ参照））、一方、それ以外の金種の紙幣を入金一時保留部３２から各金種別収納部３４ａ〜３４ｃに金種別に搬送する（図１１の点線（図１１の符号Ｂ参照））。
【００７１】
その後、操作者は、引き出しユニット３８を筐体１２から外部に引き出すとともに、金種混合収納部３６を引き出しユニット３８から上方に取り出し、この金種混合収納部３６に収納された紙幣を金種混合収納部３６ごと回収する。
【００７２】
次に、大量入金処理モードの第６の態様について図１２を用いて以下に説明する。投入口１４に投入された紙幣が入金一時保留部３２に送られた後、この入金一時保留部３２には、様々な金種の紙幣が混在して保留されている。大量入金処理モードの第６の態様では、制御部５０は、識別部１８による識別結果（紙幣の金種の識別結果）に基づいて、入金一時保留部３２に一時的に保留された紙幣について、予め設定された設定枚数以上の枚数である紙幣の金種を回収用紙幣の金種として検出する。そして、入金一時保留部３２に一時的に保留された紙幣のうち、回収用紙幣の金種として検出された金種の紙幣を入金一時保留部３２から投入口１４に搬送し（図１２の太線（図１２の符号Ａ参照））、一方、それ以外の金種の紙幣を入金一時保留部３２から各金種別収納部３４ａ〜３４ｃに金種別に搬送する（図１２の点線（図１２の符号Ｂ参照））。
【００７３】
そして、入金一時保留部３２から全ての紙幣が繰り出されると、投入口１４に設けられたシャッター機構２４が開くことによって、投入口１４に集積された紙幣は操作者により回収される。
【００７４】
次に、大量入金処理モードの第７の態様について以下に説明する。投入口１４に投入された紙幣が入金一時保留部３２に送られた後、この入金一時保留部３２には、様々な金種の紙幣が混在して保留されている。大量入金処理モードの第７の態様では、制御部５０は、入金一時保留部３２に一時的に保留された紙幣を各金種別収納部３４ａ〜３４ｃに金種別に搬送するよう制御を行う。また、制御部５０は、入金一時保留部３２から繰り出された紙幣がもしこの紙幣の金種に対応する金種別収納部（例えば金種別収納部３４ａ）に収納されると当該金種別収納部３４ａがフル状態になることが検出された場合には、この金種別収納部３４ａから所定量の紙幣が取り出されて紙幣を収納可能な状態（例えば空状態等）になったことが検出された後にこの紙幣を入金一時保留部３２から金種別収納部３４ａに搬送するよう制御を行う。より詳細には、入金一時保留部３２内にある紙幣を収納可能とするよう、金種別収納部３４ａから金種混合収納部３６に紙幣が搬送され、その後、入金一時保留部３２から金種別収納部３４ａに紙幣が搬送される。より具体的には、金種別収納部３４ａがニアフル状態またはフル状態であることが検出されると、この金種別収納部３４ａから金種混合収納部３６に紙幣が自動的に搬送され、その後、入金一時保留部３２から金種別収納部３４ａに紙幣が搬送されるようになる。あるいは、金種別収納部３４ａがニアフル状態またはフル状態であることが検出されると、この金種別収納部３４ａから紙幣を回収すべき旨の指示が表示部５４に表示され、操作者が手動により金種別収納部３４ａから紙幣を回収すると、入金一時保留部３２から金種別収納部３４ａに紙幣が搬送されるようになる。
【００７５】
次に、大量入金処理モードの第８の態様について以下に説明する。投入口１４に投入された紙幣が入金一時保留部３２に送られた後、この入金一時保留部３２には、様々な金種の紙幣が混在して保留されている。大量入金処理モードの第８の態様では、制御部５０は、入金一時保留部３２に一時的に保留された紙幣を各金種別収納部３４ａ〜３４ｃに金種別に搬送するよう制御を行う。また、制御部５０は、入金一時保留部３２から繰り出された紙幣がもしこの紙幣の金種に対応する金種別収納部（例えば金種別収納部３４ａ）に収納されると当該金種別収納部３４ａがフル状態になることが検出された場合には、この紙幣を、入金一時保留部３２から、紙幣を収納可能な状態（例えば空状態等）の収納部（例えば、金種別収納部３４ｂ、３４ｃ、あるいは金種混合収納部３６）に搬送するよう制御を行う。
【００７６】
次に、大量入金処理モードの第９の態様について以下に説明する。大量入金処理モードの第９の態様では、制御部５０は、入金一時保留部３２に一時的に保留された紙幣の枚数が予め設定された設定枚数を超えたことを検出した場合には、入金一時保留部３２から紙幣を繰り出さないよう制御を行う。この場合、入金一時保留部３２から紙幣を回収すべき旨の指示が表示部５４に表示される。その後、操作者は、引き出しユニット３８を筐体１２から引き出した後、入金一時保留部３２を引き出しユニット３８から上方に取り出すことにより、入金一時保留部３２に収納された紙幣を入金一時保留部３２ごと回収する。
【００７７】
次に、大量入金処理モードの第１０の態様について以下に説明する。投入口１４に投入された紙幣が入金一時保留部３２に送られた後、この入金一時保留部３２には、様々な金種の紙幣が混在して保留されている。大量入金処理モードの第１０の態様では、制御部５０は、入金一時保留部３２に一時的に保留された紙幣を各金種別収納部３４ａ〜３４ｃに金種別に搬送するよう制御を行う。また、制御部５０は、入金一時保留部３２から繰り出された紙幣がもしこの紙幣の金種に対応する金種別収納部（例えば金種別収納部３４ａ）に収納されると当該金種別収納部３４ａがフル状態になることが検出された場合には、入金一時保留部３２から紙幣を繰り出さないよう制御を行う。この場合、入金一時保留部３２から紙幣を回収すべき旨の指示が表示部５４に表示される。その後、操作者は、引き出しユニット３８を筐体１２から引き出した後、入金一時保留部３２を引き出しユニット３８から上方に取り出すことにより、入金一時保留部３２に収納された紙幣を入金一時保留部３２ごと回収する。
【００７８】
前述のように、操作者は、紙幣処理装置１０において大量入金処理モードを行う場合には、上述した第１の態様〜第１０の態様の中から一の態様を選択し、操作部５２によりどの態様の大量入金処理モードを行うかを制御部５０に指令する。あるいは、上述した第１の態様〜第１０の態様のうち一の態様が予めデフォルトとして制御部５０において設定されており、操作者が大量入金処理モードを行うことを操作部５２により制御部５０に指令した場合には、このデフォルトの態様の動作が自動的に行われるようになっていてもよい。
【００７９】
以上のように本実施の形態の紙幣処理装置１０によれば、制御部５０は、投入口１４により筐体１２の内部に投入され識別部１８により識別された紙幣を入金一時保留部３２に一時的に保留させ、その後、入金一時保留部３２に一時的に保留された紙幣について、識別部１８による識別結果に基づいて予め設定された複数の処理方法の中から一の処理方法を選択し、この処理方法で入金一時保留部３２に一時的に保留された紙幣の処理を行うようになっている。このことにより、入金一時保留部３２内にある紙幣の識別結果から次の処理を決定するため、例えば、全ての紙幣を収納部３４ａ〜３４ｃ、３６に送らずに回収したりすることができ、紙幣を紙幣収納部３０から回収するための時間を短縮することができ、このため、操作者が紙幣を筐体１２の内部に投入してから紙幣を回収して金庫等の外部設備に運搬するまでの時間を短縮することができる。
【００８０】
より詳細には、上述した大量入金処理モードの第１の態様によれば、入金一時保留部３２に一時的に保留された紙幣のうち、表裏のいずれか一方の紙幣を帯封し、表裏に関して他方の紙幣を収納部３４ａ〜３４ｃ、３６に収納させるようにしている。このように、入金一時保留部３２に一時的に保留された紙幣の一部を、収納部３４ａ〜３４ｃ、３６に収納させることなく直接帯封して帯封紙幣として回収することができるので、紙幣を紙幣収納部３０から回収するための時間を短縮することができる。
【００８１】
また、上述した大量入金処理モードの第２の態様によれば、入金一時保留部３２に一時的に保留された紙幣のうち、表裏のいずれか一方の紙幣を金種混合収納部３６に収納し、表裏に関して他方の紙幣を各金種別収納部３４ａ〜３４ｃに金種別に収納させるようにしている。このように、入金一時保留部３２に一時的に保留された紙幣の一部を金種混合収納部３６に収納し、この金種混合収納部３６ごと回収するので、紙幣を紙幣収納部３０から回収するための時間を短縮することができる。
【００８２】
また、上述した大量入金処理モードの第３の態様によれば、入金一時保留部３２に一時的に保留された紙幣のうち、表裏のいずれか一方の紙幣を投入口１４に搬送し、表裏に関して他方の紙幣を収納部３４ａ〜３４、３６に収納させるようにしている。このように、入金一時保留部３２に一時的に保留された紙幣の一部を、収納部３４ａ〜３４ｃ、３６に収納させることなく投入口１４から回収することができるので、紙幣を紙幣収納部３０から回収するための時間を短縮することができる。
【００８３】
また、上述した大量入金処理モードの第４の態様によれば、入金一時保留部３２に一時的に保留された紙幣のうち、ある金種の紙幣が予め設定された設定枚数（例えば、１００枚）以上である場合には、この金種の紙幣を設定枚数分だけ一時集積部４０に搬送し、一時集積部４０に搬送された設定枚数の紙幣を帯封している。このように、入金一時保留部３２に一時的に保留された紙幣の一部を、収納部３４ａ〜３４ｃ、３６に収納させることなく直接帯封して帯封紙幣として回収することができるので、紙幣を紙幣収納部３０から回収するための時間を短縮することができる。
【００８４】
このような大量入金処理モードの第４の態様において、入金一時保留部３２に一時的に保留された紙幣のうち、帯封用紙幣として検出された金種の紙幣について、上述のような設定枚数に満たないような端数の紙幣を金種別収納部３４ａ〜３４ｃに収納し、次の紙幣の入金処理を行う際に入金一時保留部３２に一時的に保留される紙幣のうち前述の金種の紙幣の枚数が設定枚数に満たない場合には、金種別収納部３４ａ〜３４ｃに既に収納されている紙幣を帯封のために補填するようになっている。この場合、次の紙幣の入金処理を行う際に入金一時保留部３２に一時的に保留される紙幣が設定枚数に満たない場合でも、不足分を、前回の紙幣の入金処理時の端数の紙幣で補うことができる。
【００８５】
また、上述した大量入金処理モードの第５の態様によれば、入金一時保留部３２に一時的に保留された紙幣のうち、ある金種の紙幣の枚数が比較的多い場合には、この金種の紙幣を金種混合収納部３６に収納し、ある金種の紙幣の枚数が比較的少ない場合には、この金種の紙幣を各金種別収納部３４ａ〜３４に金種別に収納させるようにしている。このように、入金一時保留部３２に一時的に保留された紙幣の一部を金種混合収納部３６に収納し、金種混合収納部３６ごと紙幣を回収するので、紙幣を紙幣収納部３０から回収するための時間を短縮することができる。
【００８６】
また、上述した大量入金処理モードの第６の態様によれば、入金一時保留部３２に一時的に保留された紙幣のうち、ある金種の紙幣の枚数が比較的多い場合には、この金種の紙幣を投入口１４に搬送し、ある金種の紙幣の枚数が比較的少ない場合には、この金種の紙幣を各金種別収納部３４ａ〜３４に金種別に収納させるようにしている。このように、入金一時保留部３２に一時的に保留された紙幣の一部を、収納部３４ａ〜３４ｃ、３６に収納させることなく投入口１４から回収することができるので、紙幣を紙幣収納部３０から回収するための時間を短縮することができる。
【００８７】
また、上述した大量入金処理モードの第７の態様によれば、入金一時保留部３２から繰り出された紙幣がもしこの紙幣の金種に対応する金種別収納部（例えば金種別収納部３４ａ）に収納されると当該金種別収納部３４ａがフル状態になることが検出された場合には、この金種別収納部３４ａから所定量の紙幣が取り出されて紙幣を収納可能な状態（例えば空状態等）になったことが検出された後にこの紙幣を入金一時保留部３２から金種別収納部３４ａに搬送する。この場合、紙幣を金種別収納部３４ａによって回収する場合にはそのまま回収できる。
【００８８】
また、上述した大量入金処理モードの第８の態様によれば、入金一時保留部３２から繰り出された紙幣がもしこの紙幣の金種に対応する金種別収納部（例えば金種別収納部３４ａ）に収納されると当該金種別収納部３４ａがフル状態になることが検出された場合には、この紙幣を、入金一時保留部３２から、紙幣を収納可能な状態（例えば空状態等）の収納部（例えば、金種別収納部３４ｂ、３４ｃ、あるいは金種混合収納部３６）に搬送する。この場合、紙幣を金種別収納部３４ａによって回収する場合にはそのまま回収できる。
【００８９】
また、上述した大量入金処理モードの第９の態様によれば、入金一時保留部３２に一時的に保留された紙幣の枚数が予め設定された設定枚数を超えたことが検出された場合には、入金一時保留部３２から紙幣を繰り出さないよう制御を行う。この場合、入金一時保留部３２に収納された紙幣を入金一時保留部３２ごと回収することができ、入金一時保留部３２から収納部３４ａ〜３４ｃ、３６に紙幣を搬送する時間を省略することができる。
【００９０】
また、上述した大量入金処理モードの第１０の態様によれば、入金一時保留部３２から繰り出された紙幣がもしこの紙幣の金種に対応する金種別収納部（例えば金種別収納部３４ａ）に収納されると当該金種別収納部３４ａがフル状態になることが検出された場合には、入金一時保留部３２から紙幣を繰り出さないよう制御を行う。この場合、入金一時保留部３２に収納された紙幣を入金一時保留部３２ごと回収することができ、入金一時保留部３２から収納部３４ａ〜３４ｃ、３６に紙幣を搬送する時間を省略することができる。
【００９１】
なお、本発明による貨幣処理装置は、上記の態様に限定されるものではなく、様々の変更を加えることができる。具体的には、本発明による貨幣処理装置として、紙幣の処理を行う紙幣処理装置の代わりに、硬貨の処理を行う硬貨処理装置を用いることもできる。
【００９２】
以下、貨幣処理装置として硬貨の処理を行う硬貨処理装置を用いた場合について図１３乃至図１７を参照して説明する。このうち、図１３は、本実施の形態における硬貨処理装置の内部の構成を示す構成図であり、図１４は、図１３に示す硬貨処理装置の制御ブロック図である。また、図１５乃至図１７は、図１３および図１４に示す硬貨処理装置における、硬貨の大量入金処理モードの様々な態様の動作をそれぞれ示す説明図である。
【００９３】
まず、硬貨処理装置６０の全体的な構成について説明する。図１３に示すように、硬貨処理装置６０は略直方体形状の筐体６２を備えており、この筐体６２の前面には、当該筐体６２の外部から内部に硬貨を投入するための投入口６４が設けられている。また、筐体６２の内部には、投入口６４に投入された硬貨が保留される保留繰出部６６が設けられている。保留繰出部６６に保留された硬貨は、１枚ずつ搬送部６８に繰り出されるようになっている。搬送部６８には識別部７０が設けられており、保留繰出部６６から搬送部６８に繰り出された硬貨は識別部７０により金種、正損、真偽等の識別が行われるようになっている。搬送部６８には一時保留部７２が接続されており、保留繰出部６６から搬送部６８に繰り出され識別部７０により識別された硬貨は一時保留部７２に一時的に保留されるようになっている。なお、この一時保留部７２は、筐体６２から取り外し自在となっており、一時保留部７２を筐体６２から取り外すことにより一時保留部７２に一時的に保留された硬貨を回収することができるようになっている。また、硬貨処理装置６０には投出口７６が設けられており、識別部７０により識別された硬貨のうち、正常な硬貨ではないリジェクト硬貨と識別された硬貨は一時保留部７２に送られることはなく投出口７６に直接的に送られるようになっている。
【００９４】
また、筐体６２の内部には１円硬貨収納部７４ａ、５円硬貨収納部７４ｂ、５０円硬貨収納部７４ｃ、１００円硬貨収納部７４ｄ、１０円硬貨収納部７４ｅ、５００円硬貨収納部７４ｆからなる硬貨収納部７４が設けられている。一時保留部７２に一時的に保留された硬貨は、硬貨収納部７４における各金種の硬貨収納部７４ａ〜７４ｆに金種別に搬送されるようになっている。また、筐体６２の内部には、複数の金種の硬貨を混合して収納する金種混合硬貨収納部７４ｇが設けられている。この金種混合硬貨収納部７４ｇも硬貨収納部７４の一部を構成しており、各硬貨収納部７４ａ〜７４ｆのうちある硬貨収納部がフル状態となったときに、この硬貨収納部に対応する金種の硬貨が一時保留部７２から金種混合硬貨収納部７４ｇに送られ、この金種混合硬貨収納部７４ｇに収納されるようになっている。
【００９５】
図１３に示すように、硬貨収納部７４における各硬貨収納部７４ａ〜７４ｇは引き出しユニット７５に収容されている。この引き出しユニット７５は、硬貨処理装置６０の筐体６２から図１３の左方向に引き出すことができるようになっており、引き出しユニット７５を筐体６２から引き出した後、各硬貨収納部７４ａ〜７４ｇを引き出しユニット７５から上方に取り出すことができるようになっている。このようにして、各硬貨収納部７４ａ〜７４ｇに収納された硬貨を、この硬貨を収納する硬貨収納部７４ａ〜７４ｇごと筐体６２の外部から回収することができる。
【００９６】
また、硬貨収納部７４における各金種の硬貨収納部７４ａ〜７４ｇに収納された硬貨は、これらの硬貨収納部７４ａ〜７４ｇから搬送部６９に送られ、この硬貨は搬送部６９から投出口７６または回収カセット７８に送られるようになっている。回収カセット７８は筐体６２の外部に取り出し自在となっており、この回収カセット７８を筐体６２の外部に取り出すことにより、硬貨を回収カセット７８ごと回収することができるようになっている。
【００９７】
また、図１３に示すように、筐体６２の内部には、硬貨の包装を行うための包装部８０が設けられている。包装部８０には一時保留部７２から硬貨が送られるようになっている。包装部８０は、当該包装部８０に送られた複数（例えば５０枚）の硬貨の包装を行うようになっている。
【００９８】
また、硬貨処理装置６０には包装硬貨投出口８２が設けられており、包装部８０により形成された包装硬貨は包装硬貨投出口８２に送られるようになっている。操作者は、この包装硬貨投出口８２から包装硬貨を取り出すことができるようになっている。
【００９９】
また、図１３に示すように、硬貨処理装置６０の各構成要素の制御を行う制御部９０が筐体６２の内部に設けられている。制御部９０の構成について、図１４を用いて説明する。
【０１００】
図１４に示すように、制御部９０には、保留繰出部６６、搬送部６８、６９、識別部７０、一時保留部７２、硬貨収納部７４、包装部８０等が接続されている。また、制御部９０には、操作部９２、表示部９４、インターフェース９６が接続されている。ここで、識別部７０により識別された硬貨の識別情報は制御部９０に送られるようになっている。また、制御部９０は、保留繰出部６６、搬送部６８、６９、一時保留部７２、硬貨収納部７４、包装部８０等に対してそれぞれ制御信号を送り、これらの構成要素の制御を行うようになっている。
【０１０１】
操作部９２は、操作者が制御部９０に様々な指示を送るためのものであり、例えばキーボードや各種キー等により構成されている。また、表示部９４は、硬貨処理装置６０における様々な硬貨の処理状況、例えば硬貨収納部７４における各金種の硬貨収納部７４ａ〜７４ｇに収納されている硬貨の金種毎の枚数等を表示するようになっている。これらの操作部９２および表示部９４は硬貨処理装置６０の筐体６２の前面や上面に設けられている。なお、操作部９２および表示部９４は一体のものとなっていてもよい。具体的には、例えば筐体６２の前面や上面にタッチパネルが設けられており、このタッチパネルに、硬貨処理装置６０における様々な硬貨の処理状況が表示されるとともに、タッチパネルに表示される各種キーを押下することにより操作者が制御部９０に様々な指示を送ることができるようになっていてもよい。
【０１０２】
また、制御部９０は、インターフェース９６を介して、硬貨処理装置６０とは別の外部装置９８（例えば、上位装置）と情報の送受信を行うことができるようになっている。
【０１０３】
次に、上述のような構成からなる硬貨処理装置６０の動作について説明する。硬貨処理装置６０による処理の内容としては、概して、顧客から預かった硬貨を入金する入金処理モード、顧客に硬貨を支払うために硬貨収納部７４から硬貨を出金する出金処理モード、および硬貨収納部７４に収納された硬貨を回収する回収処理モード等がある。なお、以下に示すような硬貨処理装置６０の動作は、制御部９０が硬貨処理装置６０の各構成要素を制御することにより行われる。
【０１０４】
まず、顧客から預かった硬貨を入金、収納する入金処理モードについて説明する。
【０１０５】
入金処理モードにおいて、まず、操作者が硬貨を硬貨処理装置６０の投入口６４に投入する。投入口６４に投入された硬貨は保留繰出部６６に送られ、この保留繰出部６６に一時的に保留される。その後、保留繰出部６６から搬送部６８に硬貨が１枚ずつ繰り出され、この繰り出された硬貨は識別部７０によりその金種や正損、真偽等の識別が行われる。識別部７０により正常な硬貨であると識別された硬貨は搬送部６８により一時保留部７２に搬送される。一時保留部７２において、搬送部６８から送られた硬貨が一時的に保留される。
【０１０６】
一方、識別部７０により正常な硬貨であると識別された硬貨以外の硬貨は、すなわち、識別部７０により偽物であると識別された硬貨や、識別部７０により識別することができなかった硬貨は、リジェクト硬貨として搬送部６８により投出口７６に送られ、この投出口７６に集積される。そして、保留繰出部６６から硬貨が全て繰り出された後に、投出口７６に集積されたリジェクト硬貨は操作者により取り出されることとなる。
【０１０７】
上述のような動作は、保留繰出部６６から硬貨が全て繰り出されるまで行われる。そして、保留繰出部６６から硬貨が全て繰り出されると、表示部９４にこのことが表示される。そして、操作者が操作部９２により「入金確定」の指令を制御部９０に対して行うと、一時保留部７２から硬貨が１枚ずつ当該一時保留部７２から繰り出され、この繰り出された硬貨はその金種に基づいて硬貨収納部７４における各硬貨収納部７４ａ〜７４ｆに搬送され、これらの各硬貨収納部７４ａ〜７４ｆに収納される。なお、各硬貨収納部７４ａ〜７４ｆのうちある硬貨収納部がフル状態となった場合には、この硬貨収納部に対応する金種の硬貨は金種混合硬貨収納部７４ｇに送られる。このようにして、硬貨の入金処理モードが終了する。
【０１０８】
また、操作者が操作部９２により「入金確定」の指令の代わりに「返却」の指令を制御部９０に対して行うと、一時保留部７２から硬貨が１枚ずつ当該一時保留部７２から繰り出され、この繰り出された硬貨は搬送部６８により投出口７６に送られる。そして、一時保留部７２から投出口７６に全ての硬貨が搬送された後に、投出口７６に送られた硬貨は操作者により取り出されることとなる。
【０１０９】
次に、顧客に硬貨を支払うために硬貨収納部７４から硬貨を出金する出金処理モードについて説明する。出金処理モードにおいて、操作者が操作部９２により制御部９０に対して硬貨の出金処理の指令を与えると、硬貨収納部７４における各硬貨収納部７４ａ〜７４ｇから硬貨が１枚ずつ搬送部６９に送られ、搬送部６９から投出口７６に硬貨が搬送され、この投出口７６に硬貨が集積される。そして、各硬貨収納部７４ａ〜７４ｇから全ての硬貨または所定の合計金額の硬貨が搬送部６９により投出口７６に送られると、出金完了の旨が表示部９４に表示される。その後、操作者は、投出口７６から出金硬貨を取り出す。
【０１１０】
次に、硬貨収納部７４に収納された硬貨を回収する回収処理モードについて説明する。回収処理モードにおいて、操作者が操作部９２により制御部９０に対して硬貨の回収処理の指令を与えると、硬貨収納部７４における各硬貨収納部７４ａ〜７４ｇから硬貨が１枚ずつ搬送部６９に送られ、搬送部６９から回収カセット７８に硬貨が搬送され、この回収カセット７８に硬貨が集積される。そして、各硬貨収納部７４ａ〜７４ｇから全ての硬貨または所定の合計金額の硬貨が搬送部６９により回収カセット７８に送られると、回収準備完了の旨が表示部９４に表示される。その後、操作者は、回収カセット７８を筐体６２から引き出す。このことにより、回収カセット７８に収納された硬貨を、回収カセット７８ごと回収することができる。
【０１１１】
また、図１３および図１４に示すような硬貨処理装置６０では、上述のような入金処理モードや出金処理モード等に加えて、以下に示すような大量入金処理モードを選択的に行うことができる。あるいは、上述のような入金処理モードに代えて、以下に示すような大量入金処理モードが強制的に行われるようになっていてもよい。
【０１１２】
硬貨処理装置６０における大量入金処理モードでは、制御部９０は、投入口６４により筐体６２の内部に投入され識別部７０により識別された硬貨を一時保留部７２に一時的に保留させ、その後、一時保留部７２に一時的に保留された硬貨について、識別部７０による識別結果に基づいて予め設定された複数の処理方法の中から一の処理方法を選択し、この処理方法で一時保留部７２に一時的に保留された硬貨の処理を行う。このような大量入金処理モードとしては、様々な態様がある。操作者は、大量入金処理モードを行うにあたり、操作部９２によりどの態様の大量入金処理モードを行うかを制御部９０に指令する。あるいは、特定の態様の処理が行われるよう制御部９０において予めデフォルトの設定が行われていてもよい。
【０１１３】
硬貨処理装置６０における大量入金処理モードでは、投入口６４に投入された硬貨が一時保留部７２に送られるまでは、上述した入金処理モードにおける動作と同様の動作が行われる。投入口６４に投入された硬貨が全て一時保留部７２または投出口７６に送られた後、以下に示すような様々な態様の動作のうち一の態様の動作が選択的に行われる。
【０１１４】
大量入金処理モードの第１の態様について図１５を用いて以下に説明する。投入口６４に投入された硬貨が一時保留部７２に送られた後、この一時保留部７２には、様々な金種の硬貨が混在して保留されている。大量入金処理モードの第１の態様では、制御部９０は、識別部７０による識別結果（硬貨の金種の識別結果）に基づいて、一時保留部７２に一時的に保留された硬貨について、予め設定された設定枚数以上の枚数である硬貨の金種を包装用硬貨の金種として検出する。具体的には、包装部８０において例えば５０枚の硬貨が包装されて包装硬貨が形成される場合は、硬貨の設定枚数は５０枚となる。そして、一時保留部７２に一時的に保留された硬貨のうち、包装用硬貨の金種として検出された金種の硬貨を設定枚数分だけ一時保留部７２から包装部８０に搬送し（図１５の太線）、この包装部８０に設定枚数分の硬貨が送られたときに包装部８０で設定枚数分の硬貨の包装が行われる。より詳細には、予め設定された設定枚数が５０枚であり、一時保留部７２に例えば８０枚の１０円硬貨および２０枚の１００円硬貨が一時的に保留されていた場合には、一時保留部７２から包装部８０に５０枚の１０円硬貨が１枚ずつ搬送され、包装部８０に５０枚の１０円硬貨が送られた後、当該包装部８０において１０円硬貨の包装処理を行う。このようにして包装部８０で形成された包装硬貨は包装硬貨投出口８２に搬送される（図１５の太線参照）。その後、操作者は、包装硬貨投出口８２に搬送された包装硬貨を回収する。なお、包装部８０により硬貨の包装処理が行われた後、包装硬貨が筐体６２内に収納されるようになっていてもよい。
【０１１５】
ここで、制御部９０は、一時保留部７２に一時的に保留された硬貨のうち、包装用硬貨の金種として検出された金種の硬貨について、設定枚数に満たないような端数の硬貨を各硬貨収納部７４ａ〜７４ｆに金種別に収納するよう制御を行う。例えば、上述の例では、一時保留部７２に一時的に保留される８０枚の１０円硬貨のうち３０枚の１０円硬貨は、端数の硬貨として、１０円硬貨を収納する１０円硬貨収納部７４ｅに１枚ずつ搬送される。その後、制御部９０は、次の硬貨の入金処理を行う際に一時保留部７２に一時的に保留される硬貨のうち１０円硬貨の枚数が設定枚数に満たない場合には、１０円硬貨収納部７４ｅに既に収納されている硬貨を包装のために補填するよう制御を行う。具体的には、次の硬貨の入金処理を行う際に一時保留部７２に例えば４８枚の１０円硬貨が一時的に保留された場合には、この４８枚の１０円硬貨に加え、１０円硬貨収納部７４ｅに既に収納されている３０枚の１０円硬貨のうち２枚の１０円硬貨が包装部８０に送られ、合計５０枚の１０円硬貨の包装処理が包装部８０により行われる。
【０１１６】
次に、大量入金処理モードの第２の態様について図１６を用いて以下に説明する。投入口６４に投入された硬貨が一時保留部７２に送られた後、この一時保留部７２には、様々な金種の硬貨が混在して保留されている。大量入金処理モードの第２の態様では、制御部９０は、識別部７０による識別結果（硬貨の金種の識別結果）に基づいて、一時保留部７２に一時的に保留された硬貨について、予め設定された設定枚数以上の枚数である硬貨の金種を回収用硬貨の金種として検出する。そして、一時保留部７２に一時的に保留された硬貨のうち、回収用硬貨の金種として検出された金種の硬貨を一時保留部７２から金種混合硬貨収納部７４ｇに搬送し（図１６の太線）、一方、それ以外の金種の硬貨を一時保留部７２から各硬貨収納部７４ａ〜７４ｆに金種別に搬送する（図１６の点線）。
【０１１７】
その後、操作者は、引き出しユニット７５を筐体６２から外部に引き出すとともに、金種混合硬貨収納部７４ｇを引き出しユニット７５から上方に取り出し、この金種混合硬貨収納部７４ｇに収納された硬貨を金種混合硬貨収納部７４ｇごと回収する。
【０１１８】
次に、大量入金処理モードの第３の態様について図１７を用いて以下に説明する。投入口６４に投入された硬貨が一時保留部７２に送られた後、この一時保留部７２には、様々な金種の硬貨が混在して保留されている。大量入金処理モードの第３の態様では、制御部９０は、識別部７０による識別結果（硬貨の金種の識別結果）に基づいて、一時保留部７２に一時的に保留された硬貨について、予め設定された設定枚数以上の枚数である硬貨の金種を回収用硬貨の金種として検出する。そして、一時保留部７２に一時的に保留された硬貨のうち、回収用硬貨の金種として検出された金種の硬貨を一時保留部７２から投出口７６に搬送し（図１７の太線）、一方、それ以外の金種の硬貨を一時保留部７２から各硬貨収納部７４ａ〜７４ｆに金種別に搬送する（図１７の点線）。
【０１１９】
そして、一時保留部７２から全ての硬貨が投出口７６または各硬貨収納部７４ａ〜７４ｆに送られると、操作者は投出口７６に集積された硬貨を回収する。
【０１２０】
次に、大量入金処理モードの第４の態様について以下に説明する。投入口６４に投入された硬貨が一時保留部７２に送られた後、この一時保留部７２には、様々な金種の硬貨が混在して保留されている。大量入金処理モードの第４の態様では、制御部９０は、一時保留部７２に一時的に保留された硬貨を各硬貨収納部７４ａ〜７４ｆに金種別に搬送するよう制御を行う。また、制御部９０は、一時保留部７２から繰り出された硬貨がもしこの硬貨の金種に対応する硬貨収納部７４（例えば硬貨収納部７４ａ）に収納されると当該硬貨収納部７４ａがフル状態になることが検出された場合には、この硬貨収納部７４ａから所定量の硬貨が取り出されて硬貨を収納可能な状態（例えば空状態等）になったことが検出された後にこの硬貨を一時保留部７２から硬貨収納部７４ａに搬送するよう制御を行う。より詳細には、一時保留部７２内にある硬貨を収納可能とするよう、硬貨収納部７４ａから回収カセット７８に硬貨が搬送され、その後、一時保留部７２から硬貨収納部７４ａに硬貨が搬送される。より具体的には、硬貨収納部７４ａがニアフル状態またはフル状態であることが検出されると、この硬貨収納部７４ａから回収カセット７８に硬貨が自動的に搬送され、その後、一時保留部７２から硬貨収納部７４ａに硬貨が搬送されるようになる。あるいは、硬貨収納部７４ａがニアフル状態またはフル状態であることが検出されると、この硬貨収納部７４ａから硬貨を回収すべき旨の指示が表示部９４に表示され、操作者が手動により硬貨収納部７４ａから硬貨を回収すると、一時保留部７２から硬貨収納部７４ａに硬貨が搬送されるようになる。
【０１２１】
次に、大量入金処理モードの第５の態様について以下に説明する。投入口６４に投入された硬貨が一時保留部７２に送られた後、この一時保留部７２には、様々な金種の硬貨が混在して保留されている。大量入金処理モードの第５の態様では、制御部９０は、一時保留部７２に一時的に保留された硬貨を各硬貨収納部７４ａ〜７４ｃに金種別に搬送するよう制御を行う。また、制御部９０は、一時保留部７２から繰り出された硬貨がもしこの硬貨の金種に対応する硬貨収納部７４（例えば硬貨収納部７４ａ）に収納されると当該硬貨収納部７４ａがフル状態になることが検出された場合には、この硬貨を、一時保留部７２から、硬貨を収納可能な状態（例えば空状態等）の硬貨収納部（例えば、金種混合硬貨収納部７４ｇ）に搬送するよう制御を行う。
【０１２２】
次に、大量入金処理モードの第６の態様について以下に説明する。大量入金処理モードの第６の態様では、制御部９０は、一時保留部７２に一時的に保留された硬貨の枚数が予め設定された設定枚数を超えたことを検出した場合には、一時保留部７２から硬貨を繰り出さないよう制御を行う。この場合、一時保留部７２から硬貨を回収すべき旨の指示が表示部９４に表示される。その後、操作者は、一時保留部７２を筐体６２から取り出すことにより、一時保留部７２に収納された硬貨を一時保留部７２ごと回収する。
【０１２３】
次に、大量入金処理モードの第７の態様について以下に説明する。投入口６４に投入された硬貨が一時保留部７２に送られた後、この一時保留部７２には、様々な金種の硬貨が混在して保留されている。大量入金処理モードの第７の態様では、制御部９０は、一時保留部７２に一時的に保留された硬貨を各硬貨収納部７４ａ〜７４ｆに金種別に搬送するよう制御を行う。また、制御部９０は、一時保留部７２から繰り出された硬貨がもしこの硬貨の金種に対応する硬貨収納部７４（例えば硬貨収納部７４ａ）に収納されると当該硬貨収納部７４ａがフル状態になることが検出された場合には、一時保留部７２から硬貨を出さないよう制御を行う。この場合、一時保留部７２から硬貨を回収すべき旨の指示が表示部９４に表示される。その後、操作者は、一時保留部７２を筐体６２から取り出すことにより、一時保留部７２に収納された硬貨を一時保留部７２ごと回収する。
【０１２４】
前述のように、操作者は、硬貨処理装置６０において大量入金処理モードを行う場合には、上述した第１の態様〜第７の態様の中から一の態様を選択し、操作部９２によりどの態様の大量入金処理モードを行うかを制御部９０に指令する。あるいは、上述した第１の態様〜第７の態様のうち一の態様が予めデフォルトとして制御部９０において設定されており、操作者が大量入金処理モードを行うことを操作部９２により制御部９０に指令した場合には、このデフォルトの態様の動作が自動的に行われるようになっていてもよい。
【０１２５】
以上のように上述のような硬貨処理装置６０によれば、制御部９０は、投入口６４により筐体６２の内部に投入され識別部７０により識別された硬貨を一時保留部７２に一時的に保留させ、その後、一時保留部７２に一時的に保留された硬貨について、識別部７０による識別結果に基づいて予め設定された複数の処理方法の中から一の処理方法を選択し、この処理方法で一時保留部７２に一時的に保留された硬貨の処理を行うようになっている。このため、硬貨を硬貨収納部７４から回収するための時間を短縮することができ、このことにより、操作者が硬貨を筐体６２の内部に投入してから硬貨を回収して金庫等の外部設備に運搬するまでの時間を短縮することができる。
【０１２６】
また、上述した大量入金処理モードの第１の態様によれば、一時保留部７２に一時的に保留された硬貨のうち、ある金種の硬貨が予め設定された設定枚数（例えば、５０枚）以上である場合には、この金種の硬貨を設定枚数分だけ包装部８０に搬送し、包装部８０に搬送された設定枚数の硬貨を包装している。このように、一時保留部７２に一時的に保留された硬貨の一部を、硬貨収納部７４ａ〜７４ｇに収納させることなく直接包装して包装硬貨として回収することができるので、硬貨を硬貨収納部７４から回収するための時間を短縮することができる。
【０１２７】
このような大量入金処理モードの第１の態様において、一時保留部７２に一時的に保留された硬貨のうち、包装用硬貨として検出された金種の硬貨について、上述のような設定枚数に満たないような端数の硬貨を硬貨収納部７４ａ〜７４ｆに収納し、次の硬貨の入金処理を行う際に一時保留部７２に一時的に保留される硬貨のうち前述の金種の硬貨の枚数が設定枚数に満たない場合には、硬貨収納部７４ａ〜７４ｆに既に収納されている硬貨を包装のために補填するようになっている。この場合、次の硬貨の入金処理を行う際に一時保留部７２に一時的に保留される硬貨が設定枚数に満たない場合でも、不足分を、前回の硬貨の入金処理時の端数の硬貨で補うことができる。
【０１２８】
また、上述した大量入金処理モードの第２の態様によれば、一時保留部７２に一時的に保留された硬貨のうち、ある金種の硬貨の枚数が比較的多い場合には、この金種の硬貨を金種混合硬貨収納部７４ｇに収納し、ある金種の硬貨の枚数が比較的少ない場合には、この金種の硬貨を各硬貨収納部７４ａ〜７４ｆに金種別に収納させるようにしている。このように、一時保留部７２に一時的に保留された硬貨の一部を金種混合硬貨収納部７４ｇに収納し、金種混合硬貨収納部７４ｇごと硬貨を回収するので、硬貨を硬貨収納部７４から回収するための時間を短縮することができる。
【０１２９】
また、上述した大量入金処理モードの第３の態様によれば、一時保留部７２に一時的に保留された硬貨のうち、ある金種の硬貨の枚数が比較的多い場合には、この金種の硬貨を投出口７６に搬送し、ある金種の硬貨の枚数が比較的少ない場合には、この金種の硬貨を各硬貨収納部７４ａ〜７４ｆに金種別に収納させるようにしている。このように、一時保留部７２に一時的に保留された硬貨の一部を、硬貨収納部７４ａ〜７４ｇに収納させることなく投出口７６から回収することができるので、硬貨を硬貨収納部７４から回収するための時間を短縮することができる。
【０１３０】
また、上述した大量入金処理モードの第４の態様によれば、一時保留部７２から出された硬貨がもしこの硬貨の金種に対応する硬貨収納部７４（例えば硬貨収納部７４ａ）に収納されると当該硬貨収納部７４ａがフル状態になることが検出された場合には、この硬貨収納部７４ａから所定量の硬貨が取り出されて硬貨を収納可能な状態（例えば空状態等）になったことが検出された後にこの硬貨を一時保留部７２から硬貨収納部７４ａに搬送する。この場合、硬貨を硬貨収納部７４ａによって回収する場合にはそのまま回収できる。
【０１３１】
また、上述した大量入金処理モードの第５の態様によれば、一時保留部７２から出された硬貨がもしこの硬貨の金種に対応する硬貨収納部７４（例えば硬貨収納部７４ａ）に収納されると当該硬貨収納部７４ａがフル状態になることが検出された場合には、この硬貨を、一時保留部７２から、硬貨を収納可能な状態（例えば空状態等）の硬貨収納部（例えば、金種混合硬貨収納部７４ｇ）に搬送する。この場合、硬貨を硬貨収納部７４ａによって回収する場合にはそのまま回収できる。
【０１３２】
また、上述した大量入金処理モードの第６の態様によれば、一時保留部７２に一時的に保留された硬貨の枚数が予め設定された設定枚数を超えたことが検出された場合には、一時保留部７２から硬貨を繰り出さないよう制御を行う。この場合、一時保留部７２に収納された硬貨を一時保留部７２ごと回収することができ、一時保留部７２から硬貨収納部７４に硬貨を搬送する時間を省略することができる。
【０１３３】
また、上述した大量入金処理モードの第７の態様によれば、一時保留部７２から出された硬貨がもしこの硬貨の金種に対応する硬貨収納部７４（例えば硬貨収納部７４ａ）に収納されると当該硬貨収納部７４ａがフル状態になることが検出された場合には、一時保留部７２から硬貨を出さないよう制御を行う。この場合、一時保留部７２に収納された硬貨を一時保留部７２ごと回収することができ、一時保留部７２から硬貨収納部７４に硬貨を搬送する時間を省略することができる。
【符号の説明】
【０１３４】
１０  紙幣処理装置
１２  筐体
１４  投入口
１４ａ  紙幣繰出機構
１６  搬送部
１８  識別部
２０  入金リジェクト口
２２  出金リジェクト部
２４  シャッター機構
２５  シャッター機構
２６  分岐部材
３０  紙幣収納部
３０ａ  紙幣繰出機構
３２  入金一時保留部
３４ａ〜３４ｃ  金種別収納部
３６  金種混合収納部
３８  引き出しユニット
４０  一時集積部
４２  搬送アーム
４４  帯封部
４４ａ  スタンプ
４４ｂ  印字部分
４６  帯封紙幣投出口
５０  制御部
５２  操作部
５４  表示部
５６  インターフェース
５８  外部装置
６０  硬貨収納部
６２  筐体
６４  投入口
６６  保留繰出部
６８  搬送部
６９  搬送部
７０  識別部
７２  一時保留部
７４  硬貨収納部
７４ａ  １円硬貨収納部
７４ｂ  ５円硬貨収納部
７４ｃ  ５０円硬貨収納部
７４ｄ  １００円硬貨収納部
７４ｅ  １０円硬貨収納部
７４ｆ  ５００円硬貨収納部
７４ｇ  金種混合硬貨収納部
７５  引き出しユニット
７６  投出口
７８  回収カセット
８０  包装部
８２  包装硬貨投出口
９０  制御部
９２  操作部
９４  表示部
９６  インターフェース
９８  外部装置
【図１】
0005558141.tif 000002
【図２】
0005558141.tif 000003
【図３】
0005558141.tif 000004
【図４】
0005558141.tif 000005
【図５】
0005558141.tif 000006
【図６】
0005558141.tif 000007
【図７】
0005558141.tif 000008
【図８】
0005558141.tif 000009
【図９】
0005558141.tif 000010
【図１０】
0005558141.tif 000011
【図１１】
0005558141.tif 000012
【図１２】
0005558141.tif 000013
【図１３】
0005558141.tif 000014
【図１４】
0005558141.tif 000015
【図１５】
0005558141.tif 000016
【図１６】
0005558141.tif 000017
【図１７】
0005558141.tif 000018